(57)【要約】      （修正有）【課題】無線通信装置でサウンディングリソースシグナル（ＳＲＳ）の多重化を容易にする方法を提供する。【解決手段】無線通信装置３０２に備えたＳＲＳ検出器３１０がＳＲＳシンボルを挿入する信号を検出したサブフレームのスロットにおいて、構造マルチプレクサ３１２がそのスロットのチャネル構造を変更して、複数シンボルからなる既存のチャネルの一部のシンボルとＳＲＳシンボルを入れ替えて多重化する。この時に拡散符号器３１４が、入れ替えによって短くなったチャネルの長さに合わせて、長さとタイプを決定した時間領域直交拡散符号を生成して既存のチャネルの多重化をやり直すことで、ＳＲＳの多重化を容易にする。【選択図】図３
2015019399.tif 000002
【特許請求の範囲】
【請求項１】
無線通信環境においてサウンディングリソースシグナル（ＳＲＳ）の多重化を容易にするための方法であって、
サブフレームのスロットにおいてＳＲＳシンボルの存在を検出することと、
サブフレームの少なくとも１つのスロットに対するチャネル構造を変更することと、
ＳＲＳの存在の関数として前記サブフレームの前記スロットにおいてチャネルに適用される時間領域直交拡散符号の長さおよびタイプを決定することと、
前記サブフレームにおいて少なくとも１つのスロットにおいて前記チャネルに前記決定された拡散符号を適用することと、
を含む方法。
【請求項２】
サブフレームの少なくとも１つのスロットに対するチャネル構造を変更することは、前記ＳＲＳを含む前記スロットにおいて確認応答（ＡＣＫ：acknowledgement）シンボルの数を減少させることをさらに含む請求項１の方法。
【請求項３】
前記サブフレームにおいて少なくとも１つのスロットにおいて前記チャネルに前記決定された拡散符号を適用することは、前記ＳＲＳを含む前記スロットにおいてＡＣＫシンボルおよび基準信号（ＲＳ：reference signal）シンボルの両方に対して３ポイント離散フーリエ変換（ＤＦＴ：discrete Fourier transform）拡散符号を適用することをさらに含む請求項２の方法。
【請求項４】
前記サブフレームにおいて少なくとも１つのスロットにおいて前記チャネルに前記決定された拡散符号を適用することは、第２のスロットにおいて４ポイント直交拡散符号をＡＣＫシンボルに対して適用することと、および３ポイントＤＦＴ拡散符号をＲＳシンボルに対して適用することと、をさらに含み、前記直交拡散符号はハダマードまたはＤＦＴである請求項２の方法。
【請求項５】
ＳＲＳの存在の関数として前記サブフレームの前記スロットにおいてチャネルに適用される時間領域直交拡散符号の長さおよびタイプを決定することは、前記サブフレームに対して長サイクリックプリフィックス（ＣＰ）を用いることをさらに含む請求項１の方法。
【請求項６】
前記サブフレームにおいて少なくとも１つのスロットにおいて前記チャネルに前記決定された拡散符号を適用することは、前記ＳＲＳを含む前記スロットにおいて３ポイントＤＦＴ拡散符号をＡＣＫシンボルに対して適用することと、２ポイント直交拡散符号をＲＳシンボルに対して適用することと、を含む請求項５の方法。
【請求項７】
前記サブフレームにおいて少なくとも１つのスロットにおいて前記チャネルに前記決定された拡散符号を適用することは、第２のスロットにおいて４ポイント直交拡散符号をＡＣＫシンボルに対して適用することと、２ポイント直交拡散符号をＲＳシンボルに対して適用することと、を含む請求項５の方法。
【請求項８】
サブフレームの少なくとも１つのスロットに対するチャネル構造を変更することは、前記ＳＲＳを含む前記スロットにおいてＲＳシンボルの数を減少させることをさらに含む請求項１の方法。
【請求項９】
前記サブフレームにおいて少なくとも１つのスロットにおいて前記チャネルに前記決定された拡散符号を適用することは、前記前記ＳＲＳを含む前記スロットにおいて２ポイントまたは４ポイント直交拡散符号をＡＣＫシンボルに対して適用することと、２ポイントＤＦＴ拡散符号をＲＳシンボルに対して適用することと、さらに含む請求項８の方法。
【請求項１０】
前記サブフレームにおいて少なくとも１つのスロットにおいて前記チャネルに前記決定された拡散符号を適用することは、第２のスロットにおいて４ポイント直交拡散符号をＡＣＫシンボルに対して適用することと、３ポイントＤＦＴ拡散符号をＲＳシンボルに対して適用することと、さらに含む請求項８の方法。
【請求項１１】
サブフレームの少なくとも１つのスロットに対するチャネル構造を変更することは、前記ＳＲＳを含む前記スロットにおいてチャネル品質情報（ＣＱＩ：channel quality indication）シンボルの数を減少させることをさらに含む請求項１の方法。
【請求項１２】
ＣＱＩチャネルに対して、ＲＳシンボルの数を減少させることによって、有効なコード比を増加させることをさらに含む請求項１の方法。
【請求項１３】
サブフレームのスロットにおいてＳＲＳシンボルの存在を見つけることと、前記サブフレームにおいて１つ以上のスロットに対するチャネル構造を変更することと、前記スロットにおいてＳＲＳの存在に基づいて前記サブフレームのスロットにおいてチャネルを適用するために時間領域直交拡散符号のタイプおよび長さを計算することと、前記チャネルにおいて前記サブフレームの１つ以上のスロットにおいて前記計算された拡散符号を実行することと、に関連する命令を保存するメモリと、
前記メモリと連結され、前記メモリにおいて保存された前記命令を実行するように構成されたプロセッサと、
を含む無線通信装置。
【請求項１４】
前記メモリは、前記ＳＲＳを含む前記スロットにおいてＡＣＫシンボルの数を減少させることに関連する命令をさらに保存する請求項１３の無線通信装置。
【請求項１５】
前記メモリは、前記ＳＲＳを含む前記スロットにおいてＡＣＫシンボルおよびＲＳシンボルの両方に対して３ポイントＤＦＴ拡散符号を実行することに関連する命令をさらに保存する請求項１４の無線通信装置。
【請求項１６】
前記メモリは、第２のスロットにおいて４ポイント直交拡散符号をＡＣＫシンボルに対して実行することと、および３ポイントＤＦＴ拡散符号をＲＳシンボルに対して実行することと、に関連する命令をさらに保存する請求項１４の無線通信装置。
【請求項１７】
前記メモリは、前記サブフレームに対して長ＣＰを利用することに関連する命令をさらに保存する請求項１３の無線通信装置。
【請求項１８】
前記メモリは、前記ＳＲＳを含む前記スロットにおいて３ポイントＤＦＴ拡散符号をＡＣＫシンボルに対して実行することと、２ポイント直交拡散符号をＲＳシンボルに対して実行することと、に関連する命令をさらに保存する請求項１７の無線通信装置。
【請求項１９】
前記メモリは、第２のスロットにおいて４ポイント直交拡散符号をＡＣＫシンボルに対して実行することと、２ポイント直交拡散符号をＲＳシンボルに対して実行することと、に関連する命令をさらに保存する請求項１７の無線通信装置。
【請求項２０】
前記メモリは、前記ＳＲＳを含む前記スロットにおいてＲＳシンボルの数を減少させることに関連する命令をさらに保存する請求項１３の無線通信装置。
【請求項２１】
前記メモリは、前記ＳＲＳを含む前記スロットにおいて２ポイントまたは４ポイント直交拡散符号をＡＣＫシンボルに対して実行することと、２ポイントＤＦＴ拡散符号をＲＳシンボルに対して実行することと、に関連する命令をさらに保存する請求項２０の無線通信装置。
【請求項２２】
前記メモリは、第２のスロットにおいて４ポイント直交拡散符号をＡＣＫシンボルに対して実行することと、３ポイントＤＦＴ拡散符号をＲＳシンボルに対して実行することと、に関連する命令をさらに保存する請求項２０の無線通信装置。
【請求項２３】
前記メモリは、前記ＳＲＳを含む前記スロットにおいてＣＱＩシンボルの数を減少させることに関連する命令をさらに保存する請求項１３の無線通信装置。
【請求項２４】
前記メモリは、ＣＱＩチャネルに対して、ＲＳシンボルの数を減少させることによって、有効なコード比を増加させることに関連する命令をさらに保存する請求項２３の無線通信装置。
【請求項２５】
ＳＲＳの多重化を容易にする無線通信装置であって、
サブフレームのスロットにおいてＳＲＳシンボルを検出する手段と、
前記サブフレームの少なくとも１つのスロットに対するチャネル構造を調整する手段と、
前記サブフレームの１つ以上のスロットにおいてチャネルに適用される時間領域直交拡散符号のタイプおよび長さを決定するための前記ＳＲＳの存在を利用する手段と、
前記サブフレームにおいて少なくとも１つのスロットに対する前記チャネルに前記決定された拡散符号を適用する手段と、
を含む無線通信装置。
【請求項２６】
前記ＳＲＳを含む前記スロットにおいてＡＣＫシンボルの数を減少させる手段をさらに含む請求項２５の無線通信装置。
【請求項２７】
前記ＳＲＳを含む前記スロットにおいてＲＳシンボルの数を減少させる手段をさらに含む請求項２５の無線通信装置。
【請求項２８】
前記ＳＲＳを含む前記スロットにおいてＣＱＩシンボルの数を減少させる手段をさらに含む請求項２５の無線通信装置。
【請求項２９】
ＣＱＩチャネルに対して有効なコード比を増加させる手段をさらに含む請求項２８の無線通信装置。
【請求項３０】
サブフレームのスロットにおいてＳＲＳシンボルを検出するコードと、
前記サブフレームにおいてスロットに対するチャネル構造を変更するコードと、
１つ以上のスロットにおいてＳＲＳの存在の関数として前記サブフレームの前記１つ以上のスロットに対するチャネルに適用される時間領域直交拡散符号のタイプおよび長さの両方を決定するコードと、
前記サブフレームにおいて少なくとも１つのスロットにおいて前記チャネルに前記決定された拡散符号を利用するコードと、
を含むコンピュータ読み取り可能な記憶媒体を含むコンピュータプログラム製品。
【請求項３１】
前記コンピュータ読み取り可能な記憶媒体は、前記ＳＲＳを含む前記スロットにおいてＡＣＫシンボルの数を減少させるコードをさらに含む請求項３０のコンピュータプログラム製品。
【請求項３２】
前記コンピュータ読み取り可能な記憶媒体は、前記ＳＲＳを含む前記スロットにおいてＡＣＫシンボルおよびＲＳシンボルの両方に対して３ポイントＤＦＴ拡散符号を利用するコードをさらに含む請求項３１のコンピュータプログラム製品。
【請求項３３】
前記コンピュータ読み取り可能な記憶媒体は、第２のスロットにおいて４ポイント直交拡散符号をＡＣＫシンボルに対して利用し、および３ポイントＤＦＴ拡散符号をＲＳシンボルに対して利用するコードをさらに含む請求項３１のコンピュータプログラム製品。
【請求項３４】
前記コンピュータ読み取り可能な記憶媒体は、前記サブフレームに対して長ＣＰを用いるコードをさらに含む請求項３０のコンピュータプログラム製品。
【請求項３５】
前記コンピュータ読み取り可能な記憶媒体は、前記ＳＲＳを含む前記スロットにおいて３ポイントＤＦＴ拡散符号をＡＣＫシンボルに対して利用し、２ポイント直交拡散符号をＲＳシンボルに対して利用するコードをさらに含む請求項３４のコンピュータプログラム製品。
【請求項３６】
前記コンピュータ読み取り可能な記憶媒体は、第２のスロットにおいて４ポイント直交拡散符号をＡＣＫシンボルに対して利用し、２ポイント直交拡散符号をＲＳシンボルに対して利用するコードをさらに含む請求項３４のコンピュータプログラム製品。
【請求項３７】
前記コンピュータ読み取り可能な記憶媒体は、前記ＳＲＳを含む前記スロットにおいてＲＳシンボルの数を減少させるコードをさらに含む請求項３０のコンピュータプログラム製品。
【請求項３８】
前記コンピュータ読み取り可能な記憶媒体は、前記ＳＲＳを含む前記スロットにおいて２ポイントまたは４ポイント直交拡散符号をＡＣＫシンボルに対して利用し、２ポイントＤＦＴ拡散符号をＲＳシンボルに対して利用するコードをさらに含む請求項３７のコンピュータプログラム製品。
【請求項３９】
前記コンピュータ読み取り可能な記憶媒体は、第２のスロットにおいて４ポイント直交拡散符号をＡＣＫシンボルに対して利用し、３ポイントＤＦＴ拡散符号をＲＳシンボルに対して利用するコードをさらに含む請求項３７のコンピュータプログラム製品。
【請求項４０】
前記コンピュータ読み取り可能な記憶媒体は、前記ＳＲＳを含む前記スロットにおいてＣＱＩシンボルの数を減少させるコードをさらに含む請求項３０のコンピュータプログラム製品。
【請求項４１】
前記コンピュータ読み取り可能な記憶媒体は、ＣＱＩチャネルに対して、ＲＳシンボルの数を減少させることによって、有効なコード比を増加させるコードをさらに含む請求項４０のコンピュータプログラム製品。
【請求項４２】
無線通信システムにおいて、
サブフレームのスロットにおいてＳＲＳシンボルを検出し、
サブフレームにおいて少なくとも１つのスロットのチャネル構造を変更し、
チャネルに対する前記サブフレームの１つ以上のスロットに適用されるために時間領域直交拡散符号のタイプおよび長さを計算し、前記拡散符号は前記サブフレームの前記１つ以上のスロットにおいてＳＲＳの存在の関数として計算され、
前記サブフレームにおいて前記少なくとも１つのスロットに対する前記チャネルに前記拡散符号を適用する、
ように構成されたプロセッサを含む装置。
【請求項４３】
無線通信環境におけるＡＣＫチャネルにおいてＳＲＳの多重化を容易にする方法であって、
サブフレームのスロットにおいてＳＲＳシンボルの存在を検出することと、
サブフレームの少なくとも１つのスロットに対するＡＣＫチャネル構造を変更することと、
ＳＲＳの存在の関数として前記サブフレームの前記スロットにおいてＡＣＫチャネルに適用される時間領域直交拡散符号の長さおよびタイプを決定することと、
前記サブフレームにおいて少なくとも１つのスロットにおいて前記ＡＣＫチャネルに前記決定された拡散符号を適用することと、
を含む方法。
【請求項４４】
サブフレームの少なくとも１つのスロットに対するＡＣＫチャネル構造を変更することとは、前記ＳＲＳを含むスロットの前記ＡＣＫチャネルにおいてＡＣＫチャネルまたはＲＳチャネルの少なくとも１つの数を減少させることをさらに含む方法。
【請求項４５】
サブフレームのスロットにおいてＳＲＳシンボルの存在を見つけることと、前記サブフレームにおいて１つ以上のスロット対してＡＣＫチャネル構造を変更することと、前記スロットにおいてＳＲＳの存在に基づいて前記サブフレームのスロットにおいてＡＣＫチャネルを適用するために時間領域直交拡散符号のタイプおよび長さを計算することと、前記ＡＣＫチャネルにおいて前記サブフレームの１つ以上のスロットにおいて前記計算された拡散符号を実行することと、に関連する命令を保存するメモリと、
前記メモリと連結され、前記メモリにおいて保存された前記命令を実行するように構成されたプロセッサと、
を含む無線通信装置。
【請求項４６】
ＡＣＫチャネルにおいてＳＲＳの多重化を容易にする無線通信装置であって、
サブフレームのスロットにおいてＳＲＳシンボルを検出する手段と、
前記サブフレームの少なくとも１つのスロットに対するＡＣＫチャネル構造を調整する手段と、
前記サブフレームの１つ以上のスロットにおいてＡＣＫチャネルに適用される時間領域直交拡散符号のタイプおよび長さを決定するための前記ＳＲＳの存在を利用する手段と、
前記サブフレームにおいて少なくとも１つのスロットに対する前記ＡＣＫチャネルに前記決定された拡散符号を適用する手段と、
を含む無線通信装置。
【請求項４７】
サブフレームのスロットにおいてＳＲＳシンボルを検出するコードと、
前記サブフレームにおいてスロットに対するＡＣＫチャネル構造を変更するコードと、
１つ以上のスロットにおいてＳＲＳの存在の関数として前記サブフレームの前記１つ以上のスロットに対するＡＣＫチャネルに適用される時間領域直交拡散符号のタイプおよび長さの両方を決定するコードと、
前記サブフレームにおいて少なくとも１つのスロットにおいて前記ＡＣＫチャネルに前記決定された拡散符号を利用するコードと、
を含むコンピュータ読み取り可能な記憶媒体を含むコンピュータプログラム製品。
【請求項４８】
無線通信システムにおいて、
サブフレームのスロットにおいてＳＲＳシンボルを検出し、
サブフレームにおいて少なくとも１つのスロットのＡＣＫチャネル構造を変更し、
ＡＣＫチャネルに対する前記サブフレームの１つ以上のスロットに適用されるために時間領域直交拡散符号のタイプおよび長さを計算し、前記拡散符号は前記サブフレームの前記１つ以上のスロットにおいてＳＲＳの存在の関数として計算され、
前記サブフレームにおいて前記少なくとも１つのスロットに対する前記ＡＣＫチャネルに前記拡散符号を適用する、
ように指定されたプロセッサを含む装置。
【発明の詳細な説明】
【優先権の主張】
【０００１】
この出願は、２００７年６月１８日に出願され、“METHODS AND APPARATUSES FOR MULTIPLEXING OF UPLINK SOUNDING SIGNALS, ACK AND CQI CHANNELS IN A WIRELESS COMMUNICATION SYSTEM,”と表題された米国仮出願番号６０／９４４，７７９の優先権を主張する。この出願は、２００７年６月１９日に出願され、“METHODS AND APPARATUSES FOR MULTIPLEXING OF UPLINK SOUNDING SIGNALS, ACK AND CQI CHANNELS IN A WIRELESS COMMUNICATION SYSTEM,”と表題された米国仮出願番号６０／９４５，０７６の優先権を主張する。上述した出願の全体は、本明細書に参照によって明示的に組み込まれる。
【技術分野】
【０００２】
以下の記述は、広く、無線通信に関し、より具体的には、無線通信システムにおいて確認応答（ＡＣＫ：acknowledgement）およびチャネル品質情報（ＣＱＩ：channel quality indicator）チャネルにおけるサウンディングリソースシグナル（ＳＲＳ：sounding resource signals）の上りリンクの多重化に関する。
【背景技術】
【０００３】
無線通信システムは、広く、通信の種々のタイプを提供するように展開されている。例えば、音声および／またはデータは、無線通信システムなどを介して提供され得る。典型的な無線通信システム、またはネットワークは、複数のユーザに１つ以上の共有された資源へのアクセスを提供し得る（例えば、帯域幅、送信電力）。例えば、システムは、周波数分割多重化（ＦＤＭ：Frequency Division Multiplexing）、時分割多重化（ＴＤＭ：Time Division Multiplexing）、符号分割多重化（ＣＤＭ：Ｃode Division Multiplexing）、直交周波数分割多重化（ＯＦＤＭ：Orthogonal Frequency Division Multiplexing）およびその他のような種々の多重アクセス技術を用い得る。
【０００４】
一般的に、無線多重アクセス通信システムは、同時に、複数のアクセス端末への通信をサポートし得る。それぞれのアクセス端末は、フォワードおよびリバースリンクにおける送信によって１つ以上の基地局と通信し得る。フォワードリンク（または下りリンク）は基地局からアクセス端末への通信を指し、リバースリンク（または上りリンク）はアクセス端末から基地局への通信を指す。この通信リンクは、シングルインシングルアウト（single-in-single-out）、マルチプルインシングルアウト（multiple-in-single-out）またはマルチプルインマルチプルアウト（ＭＩＭＯ：multiple-in-multiple-out）システムによって設定され得る。
【０００５】
ＭＩＭＯシステムは、データ送信のために複数（ＮＴ個）の送信アンテナおよび複数（ＮＲ個）の受信アンテナを利用する。ＮＴ個の送信アンテナおよびＮＲ個の受信アンテナにより構成されたＭＩＭＯチャネルは、ＮＳ個の独立チャネルに分解され得る。ＮＲ個の独立チャネルは、空間チャネルとも称される。ここで、ＮＳ≦min｛ＮＴ，ＮＲ｝である。それぞれのＮＳ独立チャネルは１次元に対応する。ＭＩＭＯシステムは、複数の送信および受信アンテナによって生成されるさらなる次元が利用される場合、向上したパフォーマンス（例えば、より高いスループットおよび／またはより高い信頼性）を提供し得る。
【０００６】
ＭＩＭＯシステムは、時分割二重化（ＴＤＤ：Time Division Duplex）および周波数分割二重化（ＦＤＤ：Frequency Division Duplex）をサポートする。ＴＤＤシステムにおいて、フォワードおよびリバースリンク送信は同じ周波数領域に存在し、そのため、相互作用原理はリバースリンクチャネルからのフォワードリンクチャネルの推定を可能にする。これは、アクセスポイントにおいて複数のアンテナが利用可能であるとき、アクセスポイントがフォワードリンクにおける送信ビームフォーミング利得を得ることを可能にする。
【０００７】
無線通信システムは、よく有効範囲を提供する１つ以上の基地局を利用する。典型的な基地局は、ブロードキャスト、マルチキャストおよび／またはユニキャストサービスのための複数のデータストリームを送信し得る。ここで、データストリームは、アクセスポイントに対して独立した受信対象であり得るデータのストリームであり得る。そのような基地局の有効範囲内のアクセス端末は、複合ストリームによって伝えられる１つ、１つ以上、または全てのデータストリームを受信するために、利用され得る。同様に、アクセス端末は、基地局または別のアクセス端末にデータを送信し得る。
【０００８】
近年、ＳＲＳチャネルは、ブロードバンドパイロットチャネルとして導入されている。ＳＲＳチャネルは、例えば物理チャネルに対する周波数選択スケジューリングを使用可能にするように意図される直交チャネル、および閉ループ電力制御のための参照となるように意図される直交チャネルである。一般的に、ＳＲＳチャネルは、レイヤー３（Ｌ３）信号によって、それぞれの端末またはユーザ装置に組み込まれる別々の物理チャネルである。したがって、ＳＲＳチャネルは、資源ブロックに含まれる他のチャネルとは別である。
【発明の概要】
【０００９】
以下に、１つ以上の実施形態の基本的な理解を提供するために、そのような実施形態の簡単な概要を示す。この概要は、全ての考慮される実施形態の広い外観であり、全ての実施形態の要所または重要な要素を特定するものではなく、また、あらゆるあるいは全ての実施形態の範囲を表現するものでもない。唯一の目的は、後述されるより詳細な説明の前置きとして、簡単な形態で１つ以上の実施形態のいくつかの概念を示すことである。
【００１０】
１つ以上の実施形態に従って、それらの開示に対応すると、種々の態様は、無線通信環境においてサウンディングリソースシグナル（ＳＲＳ：sounding resource signals）の多重化を容易にすることに関連して記載される。１つの資源ブロックは、資源ブロックにおいて通常１２の各サブキャリアに対してスロットにおける全てのシンボルを含み得る。スロットは典型的に、０．５ｍｓ（milliseconds）であり、短サイクリックプレフィックス（ＣＰ：cyclic prefix）に対して７つのシンボルを含み、長ＣＰに対して６つのシンボルを含む。資源ブロックは、ＳＲＳチャネルに加えて、確認応答（ＡＣＫ：acknowledgement）チャネルおよびチャネル品質情報（ＣＱＩ：channel quality indication）チャネルのような他のチャネルを含み得る。別々の物理チャネルとして定義されるが、ＳＲＳは上りリンクチャネルによって多重化され得る。その方法に従って、ＳＲＳは２つのスロットを構成する１．０ｍｓサブフレームのスロットにおいて検出され得るが、他のスロットはＳＲＳを含まない。スロットの構造は、存在するシンボルがＳＲＳと入れ替わることによって多重化を容易にするために変更され、時間領域直交拡散符号の長さおよびタイプは、ＳＲＳが存在するファンクションとして各スロットに対して決定され得る。
【００１１】
関連する態様によれば、無線通信環境においてサウンディングリソースシグナルの多重化を容易にするための方法がここで記載される。方法は、サブフレームのスロットにおいてＳＲＳシンボルを検出することを含む。さらに、方法は、サブフレームの少なくとも１つのスロットに対するチャネル構造を変更することを含む。さらに、方法は、ＳＲＳが存在するファンクションとして前記サブフレームの前記スロットにおいてチャネルに適用される時間領域直交拡散符号の長さおよびタイプを決定することを含み得る。そのうえ、方法はさらに、前記サブフレームにおいて少なくとも１つのスロットにおいて前記チャネルに前記決定された拡散符号を適用することを含み得る。
【００１２】
別の態様は、無線通信装置に関する。無線通信装置は、サブフレームのスロットにおいてＳＲＳシンボルの存在を見つけることと、前記サブフレームにおいて１つ以上のスロット対してチャネル構造を変更することと、前記スロットにおいてＳＲＳの存在に基づいて前記サブフレームのスロットにおいてチャネルを適用するために時間領域直交拡散符号のタイプおよび長さを計算することと、前記チャネルにおいて前記サブフレームの１つ以上のスロットにおいて前記計算された拡散符号を実行することと、に関連する命令を保存するメモリを含み得る。さらに、無線通信装置は、前記メモリと連結され、前記メモリにおいて保存された前記命令を実行するように指定されたプロセッサを含み得る。
【００１３】
また別の態様は、無線通信環境においてＳＲＳの多重化を可能にする無線通信装置に関する。無線通信装置は、サブフレームのスロットにおいてＳＲＳシンボルを検出する手段を含み得る。さらに、無線通信装置は、前記サブフレームの１つ以上のスロットにおいて適用される時間領域直交拡散符号のタイプおよび長さを決定するための前記ＳＲＳの存在を利用する手段を含み得る。さらに、無線通信装置は、前記サブフレームの少なくとも１つのスロットに対するチャネル構造を調整する手段を含み得る。またさらに、前記サブフレームにおいて少なくとも１つのスロットに対して前記決定された拡散符号を適用する手段を含み得る。
【００１４】
また別の態様は、サブフレームのスロットにおいてＳＲＳシンボルを検出する、１つ以上のスロットにおいてＳＲＳの存在の関数として前記サブフレームの前記１つ以上のスロットに対するチャネルに適用される時間領域直交拡散符号のタイプおよび長さの両方を決定する、前記ＳＲＳを含むスロットに対するチャネル構造を変更する、および前記サブフレームにおいて少なくとも１つのスロットにおいて前記チャネルに前記決定された拡散符号を利用する、そこに格納されるコード（機械実行可能な記憶媒体とも称される）を有するコンピュータプログラム製品（機械読み取り可能な記憶媒体とも称される）に関する。
【００１５】
また別の態様に従って、無線通信システムにおいて、装置はプロセッサを含み得る。プロセッサは、サブフレームのスロットにおいてＳＲＳシンボルを検出するように指定され得る。さらに、プロセッサは、チャネルに対する前記サブフレームの１つ以上のスロットに適用されるために時間領域直交拡散符号のタイプおよび長さを計算し、前記拡散符号は前記サブフレームの前記１つ以上のスロットにおいてＳＲＳの存在の関数として計算されるように指定され得る。さらに、プロセッサは、サブフレームにおいて少なくとも１つのスロットのチャネル構造を変更するように指定され得る。さらに、プロセッサは、前記サブフレームにおいて前記少なくとも１つのスロットに対する前記チャネルに前記拡散符号を適用するように指定され得る。
【００１６】
上述したおよび関連した結果の達成のために、１つ以上の実施形態は、以下で十分に記載され、特に請求項に示される特徴を含む。以下の説明および添付された図面は、１つ以上の実施形態のある一例となる態様を詳細に示す。しかしながら、これらの態様は、種々の実施形態の原則が用いられ得るいくつかの種々の方法を示し、記載された実施形態は全てのそのような態様およびそれらと同様のものを含むように意図される。
【図面の簡単な説明】
【００１７】
【図１】図１は、本明細書で示される種々の態様に従った無線通信システムの図。
【図２Ａ】図２Ａは、短サイクリックプレフィックス（ＣＰ：cyclic prefix）を有するシングルスロットに対するＳＲＳ構造の一例を示すダイアグラム。
【図２Ｂ】図２Ｂは、長サイクリックプレフィックス（ＣＰ：cyclic prefix）を有するシングルスロットに対するＳＲＳ構造の一例を示すダイアグラム。
【図３】図３は、無線通信環境におけるＳＲＳの多重化を容易にし得るシステムの一例の図。
【図４Ａ】図４Ａは、サウンディングＲＳなしの確認応答（ＡＣＫ）チャネルの多重化を詳説するサブフレーム４００の一例の図。
【図４Ｂ】図４Ｂは、サウンディングＲＳが存在し、ＡＣＫシンボルが入れ替わった場合のＡＣＫチャネルの多重化を詳説するサブフレーム４３０の一例の図。
【図４Ｃ】図４Ｃは、サウンディングＲＳが存在し、ＲＳシンボルが入れ替わった場合のＡＣＫチャネルの多重化を詳説するサブフレームの一例の図。
【図５Ａ】図５Ａは、サウンディングＲＳなしのＣＱＩチャネルの多重化を詳説するサブフレーム５００の一例の図。
【図５Ｂ】図５Ｂは、サウンディングＲＳが存在し、ＣＱＩシンボルが入れ替わった場合のＡＣＫチャネルの多重化を詳説するサブフレームの一例の図。
【図５Ｃ】図５Ｃは、サウンディングＲＳが存在し、ＲＳシンボルが入れ替わった場合のＣＱＩチャネルの多重化を詳説するサブフレームブロックの一例の図。
【図６】図６は、無線通信環境におけるＳＲＳの多重化を容易にするための方法の一例の図。
【図７】図７は、無線通信環境におけるＳＲＳを多重化するためのチャネル構造を変更する種々のさらなる態様を容易にする方法の一例の図。
【図８】図８は、無線通信環境におけるＳＲＳチャネルの多重化を容易にするアクセス端末の一例の図。
【図９】図９は、無線通信環境におけるＳＲＳチャネルの多重化を容易にする基地局の一例の図。
【図１０】図１０は、本明細書で示される種々のシステムおよび方法に関して用いられ得る無線ネットワーク環境の一例の図。
【図１１】図１１は、無線通信環境におけるＳＲＳチャネルの多重化を可能にする電気的構成要素のシステムの一例の図。
【発明を実施するための形態】
【００１８】
以下に、図面を参照して種々の実施形態が記載される。図面全体において、同一の参照符号は同一の要素を言及するために用いられる。以下の記述において、説明の目的のために、多数の所定の詳細が１つ以上の実施形態の完全な理解を提供するために示される。しかしながら、そのような実施形態がこれらの所定の詳細なしでも実行され得ることは明らかであろう。別の例において、既知の構造および装置が、１つ以上の実施形態の記載を容易にするために、ブロック図の形式で示されている。
【００１９】
この出願において用いられているように、用語「構成要素」、「モジュール」、「システム」などは、ハードウェア、ファームウェア、ハードウェアとソフトウェアとの組み合わせ、ソフトウェア、または実行中のソフトウェアのいずれかのコンピュータに関する構成要素を言及するように意図される。例えば、コンポーネントは、プロセッサにより実行するプロセス、プロセッサ、オブジェクト、実行可能ファイル、実行スレッド、プログラム、および／またはコンピュータであり得るが、これらに限定されない。例として、コンピュータデバイスにより実行するアプリケーションおよびコンピュータデバイスの両方が構成要素であり得る。１つ以上の構成要素は、実行プロセスおよび／または実行スレッド内に存在し、１つの構成要素は、１つのコンピュータに配置されるおよび／または２つ以上のコンピュータ間に分散される。さらに、これらの構成要素は、そこに保存される種々のデータ構造を有する種々のコンピュータ読み取り可能な媒体によって実行し得る。構成要素は、例えば１つ以上のデータパケット（例えば、ローカルシステム、分散システム、および／または他のシステムを用いるインターネットのようなネットワークを介した別の構成要素と情報を交換する構成要素からのデータ）を有する信号に従ってローカルおよび／またはリモートプロセスを介して通信し得る。
【００２０】
さらに、種々の実施形態は、アクセス端末に関して本明細書に記載されている。アクセス端末は、システム、加入者ユニット、加入者局、移動局、モバイル、リモート局、リモート端末、モバイルデバイス、ユーザ端末、端末、無線通信装置、ユーザエージェント、ユーザ装置、またはユーザ設備（ＵＥ：user equipment）とも称され得る。アクセス端末は、携帯電話、コードレス電話機、セッション初期化プロトコル(ＳＩＰ：Session Initiation Protocol)電話、ワイヤレスローカルループ(ＷＬＬ：Wireless Local Loop)局、携帯情報端末(ＰＤＡ：personal digital assistant)、無線接続が可能な携帯型装置、計算装置または無線モデムに接続された他の処理装置であり得る。さらに、種々の実施形態は、基地局に関して本明細書に記載されている。基地局は、アクセス端末との通信のために利用され、アクセスポイント、ノードＢ、ｅノードＢまたは何らかの他の専門用語としても言及され得る。
【００２１】
さらに、本明細書で記載される種々の態様または特徴は、標準プログラミングおよび／またはエンジニアリング技術を用いる方法、装置、または物の製造として実装され得る。本明細書で用いられる用語「製品」は、あらゆるコンピュータ読み取り可能な装置、キャリア、または媒体によって利用可能なコンピュータプログラムを含むように意図されている。例えば、コンピュータ読み取り可能な媒体は、磁気記憶装置（例えば、ハードディスク、フロッピー（登録商標）ディスク、磁気ストリップなど）、光ディスク（例えば、ＣＤ（compact disk）、ＤＶＤ（digital versatile disk）など）、スマートカード、およびフラッシュメモリ装置（例えば、ＥＰＲＯＭ、カード、スティック、キードライブなど）を含み得るが、これらに限定されない。さらに、本明細書に記述された種々の記憶媒体は、情報の格納のために1つ以上のデバイスおよび／または他の機械読み出し可能な媒体を表わし得る。用語「機械読み出し可能な媒体」は、限定されないが、命令および／またはデータを格納する、含む、および／または伝えることが可能な無線チャネルおよび種々の他の媒体を含み得る
まず、図１を参照し、以下で図面を参照することで、無線通信システム１００が本明細書で記述される種々の実施形態に従って示される。システム１００は、多重アンテナグループを含み得る基地局１０２を含む。例えば、あるアンテナグループはアンテナ１０４および１０６を含み、別のグループはアンテナ１０８および１１０を含み、さらなるグループはアンテナ１１２および１１４を含み得る。２つのアンテナが各グループとして示されているが、より多くまたはより少ないアンテナが各グループとして利用されてもよい。基地局１０２はさらに、当業者に認識されるように、送信機チェーンおよび受信機チェーンを含み得る。送信機チェーンおよび受信機チェーンのそれぞれは、順に、信号送信および受信に関する複数の構成要素（例えば、プロセッサ、変調装置、マルチプレクサ、復調装置、デマルチプレクサ、アンテナ）を含み得る。
【００２２】
基地局１０２は、アクセス端末１１６およびアクセス端末１２２のような１つ以上のアクセス端末と通信し得る。しかしながら、基地局１０２が、アクセス端末１１６および１２２と同様の任意の数のアクセス端末と実質的に通信し得ることが認識されるだろう。アクセス端末１１６および１２２は、例えば、無線通信システム１００によって通信する携帯電話、スマートフォン、ラップトップ、携帯型の通信装置、携帯型の計算装置、衛星ラジオ、全地球測位システム、ＰＤＡ、および／またはあらゆる他の適当な装置であり得る。示されるように、アクセス端末１１６は、アンテナ１１２および１１４と通信する。ここで、アンテナ１１２および１１４は、フォワードリンク１１８を介してアクセス端末１１６に情報を送信し、リバースリンク１２０を介してアクセス端末１１６から情報を受信する。さらに、アクセス端末１２２は、アンテナ１０４および１０６と通信する。ここで、アンテナ１０４および１０６は、フォワードリンク１２４を介してアクセス端末１２２に情報を送信し、リバースリンク１２６を介してアクセス端末１２２から情報を受信する。周波数分割二重化（ＦＤＤ：Frequency Division Duplex）システムにおいて、例えば、フォワードリンク１１８はリバースリンク１２０によって用いられるものとは異なる周波数帯域を利用し、フォワードリンク１２４はリバースリンク１２６によって用いられるものとは異なる周波数帯域を利用し得る。さらに、時分割二重化（ＴＤＤ：Time Division Duplex）において、フォワードリンク１１８およびリバースリンク１２０は同一の周波数帯域を利用し、フォワードリンク１２４およびリバースリンク１２６は同一の周波数帯域を利用し得る。
【００２３】
アンテナの各グループおよび／またはそれらが通信するように指定されている範囲は、基地局１０２のセクターとして言及され得る。例えば、アンテナグループは、基地局１０２によって含まれる範囲のセクターにおいて、アクセス端末と通信するように設定され得る。フォワードリンク１１８および１２４を介した通信において、基地局１０２の送信アンテナは、アクセス端末１１６および１２２に対するフォワードリンク１１８および１２４の信号雑音比を向上させるビームフォームングを利用し得る。また、基地局１０２が関連した有効範囲の至るところにランダムに分散されたアクセス端末１１６および１２２に送信するビームフォームングを利用する間、セル付近のアクセス端末は、１つのアンテナを通して全てのそのアクセス端末に送信する基地局と比較して、混信の対象にさほどなり得ない。
【００２４】
基地局１０２、アクセス端末１１６、および／またはアクセス端末１２２は、任意の時刻において、送信無線通信装置および／または受信無線通信装置であり得る。データの送信中、送信無線通信装置は、物理上りリンク制御チャネル（ＰＵＣＣＨ：physical uplink control channel）、物理上りリンク共有チャネル（ＰＵＳＣＨ：physical uplink shared channel）、サウンディングリソースシグナル（ＳＲＳ：sounding resource signals）チャネルなどのような１つ以上のチャネルを利用し得る。ＳＲＳチャネルは、２つの別の目的のために指定された直交ブロードバンドパイロットチャネルである。１つ目は、ＳＲＳチャネルが例えば物理チャネルに対する周波数選択スケジューリングを可能にし得る。２つ目は、ＳＲＳチャネルが閉ループ電力制御に対する参照となり得る。一般的に、ＳＲＳチャネルは、レイヤー３（Ｌ３）信号によって、それぞれのアクセス端末１１６，１２２またはユーザ設備に組み込まれる別々の物理チャネルである。したがって、あらゆる適当な構成要素または装置は、設定可能な周期性によって周期的に関連するＳＲＳを送信する。ＳＲＳ構造の概要は、図２ＡおよびＢを参照することで提供される。
【００２５】
以下に図２Ａを参照するように、ダイアグラム２００は、短サイクリックプレフィックス（ＣＰ：cyclic prefix）を有するシングルスロットに対するＳＲＳ構造の一例を示している。示されるように、ダイアグラム２００の上方部分におけるデータまたはチャネルがより高い周波数において送信されるように、スロットは時間軸２０２に沿って０．５ｍｓ（milliseconds）を示し、ｙ軸方向に沿って周波数２０４が示されている。この例において、短ＣＰが用いられれば、０．５ｍｓスロットは７つの直交周波数分割多重化（ＯＦＤＭ：Orthogonal Frequency Division Multiplexing）シンボルを含む。一般的に、２つの隣接する０．５ｍｓスロットは、１０のサブフレームが１０ｍｓフレームを構成する１．０ｍｓサブフレーム（図示せず）を構成する。１つの資源ブロック（図示せず）は、サブキャリア数の、１スロット内のシンボル数倍であり、典型的には１２の倍数であり得る。
【００２６】
典型的に、Ｎサブフレーム毎において、１つの局所的周波数分割多重化（LFDM：localized frequency division multiplexing）シンボルは、ＳＲＳ２０６のために予約される。したがって、ＳＲＳ２０６は、０．５ｍｓスロットにおける７つのシンボルの１つとして存在し得る。ＳＲＳ２０６は、ここでおよびこの明細書で記載される他の図において、便宜上、第１のシンボルとして示される。しかしながら、ＳＲＳ２０６は、スロットにおいて他の位置にあり得ることが認識されるべきである。ＰＵＣＣＨ２０８はより高い周波数チャネルであり、一方ＰＵＣＣＨ２１０はより低い周波数チャネルであり得る。そしてＰＵＳＣＨは参照数字２１２として示される。
【００２７】
ＳＲＳ２０６は、ＰＵＣＣＨ２０８，２１０および／またはＰＵＳＣＨ２１２によって多重送信される時間であり得る。したがって、種々のＳＲＳパラメータは、基本ＺＣ（Zadoff-Chu）シーケンス、所定のサイクリックシフト、帯域幅スパン、時間および／または周波数ホッピング構造などのようなチャネルに沿って信号が送信され得る。
【００２８】
図２Ｂは、長ＣＰを有するシングルスロットに対するＳＲＳ構造を示すダイアグラム２２０を示している。理解されるように、ダイアグラム２２０は実質的に、図２Ａのダイアグラム２００と同様であり、時間２２２および周波数２２４次元はそれぞれｘ軸およびｙ軸に沿って示され、ＳＲＳ２２６は０．５ｍｓスロットにおけるシンボルの１つに指定され、上りリンクチャネル２２８−２３２の全てに広がる。しかしながら、１つのちがいは、短ＣＰで提供される７つのシンボルの代わりに、一般的に長ＣＰで０．５ｍｓスロットごとに６つのシンボルがあることである。迅速な認識の目的のために、この明細書の残りの部分は、全体的な構造が図２Ａに関して提供される短ＣＰに関して説明を提供する。しかし、請求項の主題は、例えば長ＣＰおよび他のＳＲＳ構造のような他のＣＰ指示に適用され得ることは理解されるべきである。
【００２９】
次に、図３を考えると、無線通信環境におけるＳＲＳの多重化を容易にし得るシステム３００が示されている。システム３００は、チャネル３０４を介する送信データとして示される無線通信装置３０２を含み得る。送信データとして示されるが、無線送信装置３０２は、例えば受信機３０６および送信機３０８によって、チャネル３０４を介してデータの受信もし得る（例えば、無線通信装置３０２は同時にデータを送信および受信し得る、無線通信装置３０２は異なる時刻においてデータを送信および受信し得る、それらの組み合わせなど）。例えば、無線通信装置３０２は、基地局（例えば、図１の基地局１０２）、アクセス端末（例えば、図１のアクセス端末１１６、図１のアクセス端末１２２）、または同様のものであり得る。ここでは１つのチャネルが示されるが、無線通信装置３０２はデータが送信され得るおよび／または受信され得る多重チャネルに連結され得ることも認識されるべきである。さらに、チャネル３０４は、種々の構造によって、図４Ａ−５Ｃに記載される上りリンク物理チャネルのような一般のまたは所定の目的に適した多重チャネルを一般化し得る。図４Ａ−５Ｃは、無線通信装置３０２の種々の特徴および本明細書で記載される他の構成要素または装置の特徴を示すために、図３と併せて参照され得る。
【００３０】
図４Ａは、サウンディングＲＳなしの確認応答（ＡＣＫ）チャネルの多重化を詳説するサブフレーム４００の一例を示している。サブフレーム４００は、短ＣＰが用いられ、スロットごとに７つのシンボルが資源ブロックに含まれる図２Ａにおいて図示されたスロット２００のチャネル構造と同様の２つの０．５ｍｓスロットに分割され得る時間４１８における１．０ｍｓを示している（ｙ軸として周波数４３０次元が示されている）。しかしながら、スロット２００と異なり、この場合、サブフレーム４００のどちらのスロットにもサウンディングＲＳが存在していない。第１の０．５ｍｓスロットの上方部分には、４つのＡＣＫシンボル４０２および３つの基準信号（ＲＳ：reference signal）シンボル４０４が図示されている。ＲＳシンボル４０４は、一般的にＡＣＫチャネルまたは別の関連するチャネルの復調のために用いられるパイロット構造である。一般的に、ＡＣＫ４０２およびＲＳ４０４シンボルは、ＰＵＣＣＨ範囲において送信される。したがって、図２Ａおよび図２Ｂに示される構造の関係は、容易に認識され得る（例えば、ＰＵＣＣＨ２０８，２１０，２２８，２３０）。
【００３１】
一般的に、ＰＵＳＣＨ４２２のための資源は、サブフレームごとに割り当てられ、送信周波数４２０は、サブフレームからサブフレームへホップされ得る（例えば、サブフレーム４００から別のサブフレームへ）。対照的に、ＡＣＫおよびＲＳ情報（およびチャネル品質情報（ＣＱＩ：channel quality indication）、非確認応答（ＮＡＣＫ：not acknowledgment）、ハイブリッドオートマチックリピート要求（ＨＡＲＱ：hybrid automatic repeat request）、上りリンクスケジューリング要求）を伝え得るＰＵＣＣＨは、例えばそれ以上の信頼性を提供するために、スロットの境界においてホップされ得る。したがって、第１の０．５ｍｓスロットと第２の０．５ｍｓスロットとの間の境界は、ＰＵＣＣＨにおけるホッピングのための送信周波数境界になり得る。したがって、第１のスロットにおける周波数４２０の上方部分の範囲において送信されるＡＣＫ４０２およびＲＳ４０４からのデータに関するユーザの所定のグループは、ＡＣＫ４０６およびＲＳ４０８によって示されるような第２のスロットにおける下方の周波数４２０にホップされ得る。同様に、第１のスロットにおけるＡＣＫ４１４およびＲＳ４１６に関するユーザの異なるグループは、第２のスロットにおける上方部分の範囲のＡＣＫ４１０およびＲＳ４１２にホップされ得る。ＡＣＫおよびＲＳシンボルの間の関連する関係は、それぞれ白と黒の背景で示される。
【００３２】
それに加え、短ＣＰの名目上のＰＵＣＣＨ構造は、資源ブロックごとに１８のＡＣＫを可能としている。これら１８のＡＣＫは、３つの時間領域ＣＤＭ直交カバーのそれぞれに対して６つの周波数領域符号分割多重化（ＣＤＭ：Code Division Multiplexing）サイクリックシフトに割り当てられ得る。長ＣＰの名目上のＰＵＣＣＨ構造は、資源ブロックごとに８つのＡＣＫを可能としており、２つの時間領域ＣＤＭ直交カバーのそれぞれに対して４つの周波数領域符号分割多重化（ＣＤＭ：Code Division Multiplexing）サイクリックシフトを占める。
【００３３】
次に、図４Ｂに目を向けると、サウンディングＲＳが存在し、ＡＣＫシンボルが入れ替わった場合のＡＣＫチャネルの多重化を詳説するサブフレーム４３０の一例が示されている。図４Ａのサブフレーム４００のように、周波数４５２はｙ軸次元において示され、サブフレーム４３０は２つの０．５ｍｓスロットに分割され得る時間４５０の１．０ｍｓを示している。それぞれは、図２Ａにおいて記載されたようなチャネル構造と同様で、短ＣＰで定義されるようなスロットごとの７つのシンボルを含む。しかしながら、この場合、第２のスロットは、スロット２００が示すようなサウンディングＲＳを含まない。ＳＲＳ４３２は第１の０．５ｍｓスロットにおける第１の部分に示されているが、ＳＲＳ４３２がそのスロットの他の位置およびサブフレーム４３０の異なるスロットに存在し得ることは重ねて強調されるべきである。さらに、ここで詳説される概念の簡潔を目的としておよび早急な理解を容易にするために、短ＣＰのみが例として用いられるが、ＳＲＳ４３２は長ＣＰ構造にも存在し得る。
【００３４】
図４Ａの名目上のサブフレーム４００の例と異なり、サブフレーム４３０における第１のスロットは、４つのＡＣＫシンボル４０２，４１４の代わりに、３つのＡＣＫシンボル４３４，４４６を含むが、今までどおり、第１のスロットは、同じ数である３つのＲＳシンボル４３６，４４８を含む。ＡＣＫシンボルが少ない理由は、短ＣＰスロットにおける７つのシンボルの１つであるＳＲＳ４３２の存在のためである。この場合、ＳＲＳ４３２は、サブフレーム４００に存在する４つのＡＣＫシンボル４０２，４１４の１つと入れ替わっており、その結果、サブフレーム４３０の第１のスロットにおいて３つのＡＣＫシンボル４３４，４４６のみが存在する。サブフレーム４３０の第２の０．５ｍｓスロットにおいて、サウンディングＲＳは存在せず、チャネル構造は変わらない。したがって、ちょうど図４Ａに示されたサブフレーム４００の一例の第２のスロットの場合のように、４つのＡＣＫシンボル４３８，４４２および３つのＲＳシンボル４４０，４４４が存在する。
【００３５】
次に、図４Ｃに関して、サウンディングＲＳが存在し、ＲＳシンボルが入れ替わった場合のＡＣＫチャネルの多重化を詳説するサブフレーム４６０の一例が示されている。再び、図４Ａのサブフレーム４００のように、周波数４８２はまたｙ軸に沿って示され、サブフレーム４６０はｘ軸次元において示される時間４８０の１．０ｍｓを示している。１．０ｍｓは、それぞれ図２Ａにおいて記載されるチャネル構造と同様で、スロットごとに７つのシンボルを含む２つの０．５ｍｓスロットに分割され得る（例えば、短ＣＰ）。しかし、サブフレーム４６０における１つのスロットのみがサウンディングＲＳを含む。図４Ｂのサブフレーム４３０と同様に、ＳＲＳ４６２はまた、第１の０．５ｍｓスロットの第１の部分に示される。しかしながら、この場合、サブフレーム４６０の第１の０．５ｍｓは４つのＡＣＫシンボル４６４，４７６を維持するが、サブフレーム４００，４３０の第１のスロットよりも１つ少ない２つのＲＳシンボル４６６，４７８のみを含む。したがって、この場合、サブフレーム４３０の場合のようなＡＣＫシンボルの代わりに、ＲＳシンボルはＳＲＳ４６２によって入れ替わった。しかしながら、サブフレーム４６０の第２の０．５ｍｓスロットにおいて４つのＡＣＫシンボル４６８，４７２および２つのＲＳシンボル４７０，４７４によって示されるように、サブフレーム４３０と同様、名目上のサブフレーム４００に示される第２のスロットの構造において変化は見られない。
【００３６】
図５Ａを参照して、サウンディングＲＳなしのＣＱＩチャネルの多重化を詳説するサブフレーム５００の名目上の一例が提供される。サブフレーム５００は、図２Ａに記載されるチャネル構造と同様の２つの０．５ｍｓスロットに分割され得る時間の１．０ｍｓを示しているが、どちらのスロットにもサウンディングＲＳはない。５つのＣＱＩシンボル５０２および２つのＲＳシンボル５０４が第１の０．５ｍｓスロットの上方部分に示される。５つのＣＱＩシンボル５０２および２つのＲＳシンボル５０４は、短ＣＰ構造で利用可能な７つのシンボルを構成する。同様に、周波数の下方部分の範囲において、５つのＣＱＩシンボル５１４および２つのＲＳシンボル５１６が存在する。ＰＵＳＣＨ５１６範囲はサブフレーム境界でホップし得る一方、ＰＵＣＣＨチャネルはスロット境界においてホップされ得る。したがって、第２の０．５ｍｓにおける５つのＣＱＩシンボル５０６はＣＱＩシンボル５０２に対応するのに対し、５つのＣＱＩシンボル５１０はＣＱＩシンボル５１４に対応する。同様に、第１のスロットにおけるＲＳシンボル５０４，５１６は、サブフレーム５００の第２のスロットにおけるＲＳシンボル５０８，５１２にそれぞれ対応する。
【００３７】
次に、図５Ｂに目を向けると、サウンディングＲＳが存在し、ＣＱＩシンボルが入れ替わった場合のＣＱＩチャネルの多重化を詳説するサブフレーム５２０の一例が示されている。図５Ａのサブフレーム５００のように、サブフレーム５２０は、それぞれが０．５ｍｓでそれぞれが図２Ａに記載された短ＣＰ構造と同様の第１および第２のスロットに分割され得る時間の１．０ｍｓを示しているが、ＳＲＳは２つのスロットの１つのみに存在し、送信されるＣＱＩ情報はＰＵＣＣＨ範囲に存在する。この場合、第２のスロットにサウンディングＲＳは存在しない。やはり、実例の目的のために、ＳＲＳ５２２は他の場所に存在し得るが、サウンディングＲＳ，ＳＲＳ５２２は第１の０．５ｍｓスロットにおける第１の部分に存在する。
【００３８】
図５Ａの名目上のサブフレーム５００の例に対して、サブフレーム４３０における第１のスロットは、サブフレーム５００における５つのＣＱＩシンボル５０２（および５１４）の代わりに４つのＣＱＩシンボル５２４（および下方の周波数部分における４つのＣＱＩシンボル５３６）を含む。しかしながら、ＲＳシンボル５２６，５３８の数はそれぞれの周波数部分に対して同様に２つ存在する。この場合、ＳＲＳ５２２は、第１のスロットにおけるＣＱＩシンボル５２４，５３６の１つと入れ替わる。他の点では、サブフレーム５２０の第２のスロットは、実質的に５つのＣＱＩシンボル５３２，５２８および２つのＲＳシンボル５３４，５３０を有するサブフレーム５００の構造と同様である。
【００３９】
次に、図５Ｃを参照すると、サウンディングＲＳが存在し、ＲＳシンボルが入れ替わった場合のＣＱＩチャネルの多重化を詳説するサブフレーム５５０の一例が示されている。再び、図５Ａのサブフレーム５００のように、サブフレーム５５０は、それぞれが図２Ａに記載された短ＣＰ構造と同様の２つの０．５ｍｓスロットに分割される１．０ｍｓを示しているが、ＳＲＳはサブフレーム５５０の２つのスロットの１つのみに存在する。図５Ｂのサブフレーム５２０と同様に、ＳＲＳ５５２はまた第１の０．５ｍｓスロットの第１の部分に示されている。しかしながら、この場合、サブフレーム５５０の第１の０．５ｍｓスロットは、５つのＣＱＩシンボル５５４，５６６の全てを維持するが、サブフレーム５００，５２０の第１のスロットよりも１つ少ない１つのみのＲＳシンボル５５６，５６８を含む。したがって、この場合、サブフレーム５２０の場合のようなＣＱＩシンボルの代わりに、ＲＳシンボルはＳＲＳ５５２によって入れ替わった。しかしながら、サブフレーム５５０の第２の０．５ｍｓスロットにおいて５つのＣＱＩシンボル５５８，５６２および２つのＲＳシンボル５６０，５６４によって示されるように、サブフレーム５２０と同様、名目上のサブフレーム５００に示される第２のスロットの構造において変化は見られない。
【００４０】
上述したことを念頭において、図３に戻って参照すると、無線通信装置３０２はさらに、サブフレームのスロットにおけるＳＲＳシンボルを検出し得るＳＲＳ検出器３１０を含む。例えば、ＳＲＳ検出器３１０は、図４Ｂ，４Ｃ，５Ｂ，５Ｃのそれぞれのサブフレーム４３０，４６０，５２０、または５５０の第１の０．５ｍｓスロットに存在するＳＲＳシンボルのうちの１つのようなＳＲＳシンボルを検出し得る。資源ブロックにＳＲＳシンボルが検出されない場合、理解されるように、チャネル構造は実質的に、ＡＣＫチャネルまたはＣＱＩチャネルが検討および／または多重化されているかに応じて図４Ａおよび５Ａのそれぞれのサブフレーム４００または５００と同様に見えるだろう。
【００４１】
無線通信装置３０２はまた、サブフレームにおける少なくとも１つのスロットのチャネル構造を変更し得る構造マルチプレクサ３１２を含み得る。特に、構造マルチプレクサ３１２は、ＡＣＫチャネルまたはＣＱＩチャネルによってＳＲＳを多重化し得る。したがって、ＳＲＳ検出器３１０によってサブフレームのスロットにおいてＳＲＳが検出される場合、構造マルチプレクサ３１２は、ＳＲＳシンボルによってＳＲＳが検出されるスロットにおけるシンボルの１つを入れ替えることによってチャネル構造を変更する。一実施形態において、構造マルチプレクサ３１２は、ＳＲＳを含むスロットにおけるＡＣＫシンボルの数を減らすことによってチャネル構造を変更し得る。この場合、図４ＢのＳＲＳ４３２が図４Ａの第１の０．５ｍｓスロットのＡＣＫシンボル４０２，４１４の１つに入れ替わるサブフレーム４００からサブフレーム４３０への遷移と実質的に同様であり得る。
【００４２】
一実施形態において、構造マルチプレクサ３１２は、ＳＲＳを含むスロットにおけるＣＱＩシンボルの数を減らすことによってチャネル構造を変更し得る。この場合、図５ＢのＳＲＳ５２２が図５Ａの第１の０．５ｍｓスロットのＣＱＩシンボル５０２，５１４の１つに入れ替わるサブフレーム５００からサブフレーム５２０への遷移と実質的に同様であり得る。一実施形態において、構造マルチプレクサ３１２は、ＳＲＳを含むスロットにおけるＲＳシンボルの数を減らすことによってチャネル構造を変更し得る。明らかに、ＲＳシンボルの入れ替わりは、ＡＣＫチャネルまたはＣＱＩチャネルのどちらにおいても生じる。したがって、一つの場合においてこの態様は、ＳＲＳの追加を可能にするために、ＲＳシンボル４０４，４１６がＡＣＫチャネルの第１のスロットから他へ移動されるサブフレーム４００からサブフレーム４６０への遷移と実質的に同様であり得る。第２の場合において、この態様は、ＳＲＳ５５２のための場所をつくるために、ＣＱＩチャネルの第１のスロットからＲＳシンボル５０４，５１６が取り除かれるサブフレーム５００からサブフレーム５５０への遷移と実質的に同様であり得る。
【００４３】
さらに、無線通信装置３０２は、サブフレームのスロットに適用される時間領域直交拡散符号のタイプおよび長さをＳＲＳの存在の関数として決定し得る拡散符号器３１４を含み得る。したがって、拡散符号器３１４は、スロットがＳＲＳを含むか否かに基づいてサブフレームの個々のスロットに適用される異なる拡散符号を決定し得る。種々の場合の具体例を提供するために、図４Ｂおよび４Ｃがまた参照される。
【００４４】
図４Ｂに戻って参照すると、ＡＣＫチャネルの第１のスロットは、３つのＡＣＫシンボル、３つのＲＳシンボル、および前に存在したＡＣＫシンボルの１つと入れ替わったＳＲＳを含む。第２のスロットは、ＳＲＳを有さず、４つのＡＣＫシンボルおよび３つのＲＳシンボルを有する。一実施形態において、拡散符号器３１４は、ＡＣＫシンボルおよびＲＳシンボルの両方について、ＳＲＳを含むスロットにおける３ポイント離散フーリエ変換（ＤＦＴ：discrete Fourier transform）拡散符号（例えば、第１の０．５ｍｓスロット）を適用し得る。ここで、決定される長さおよびタイプは、３ポイント（例えば、長さ）ＤＦＴ（例えば、タイプ）によって示される。時間領域直交拡散符号の長さおよび／またはタイプがＳＲＳなしのスロットとは異なり得るため、異なる拡散符号がサブフレーム４３０における第２のスロットに適用され得る。この例における第２のスロットは、４つのＡＣＫシンボルおよび３つのＲＳシンボルを含む。一実施形態において、拡散符号器３１４は、第２のスロットにおけるＡＣＫシンボルに対して４ポイント直交拡散符号を適用し得る。ここで、４ポイント直交拡散符号は、ハダマードまたはＤＦＴタイプであり、さらに３ポイントＤＦＴ拡散符号を第２のスロットにおけるＲＳシンボルに適用し得る。
【００４５】
名目上の構造は資源ブロックごとに１８のＡＣＫが可能である一方、ＳＲＳおよびＡＣＫチャネルの多重化は依然資源ブロックごとに１８のＡＣＫを提供し得ることが認識されるべきである。したがって、低ドップラーのためにＡＣＫ多重化容量における変化は必ずしも必要ではない。
【００４６】
上述したように、請求項の主題は、長ＣＰにも適用し得る。そのような場合の一例として、一実施形態において、拡散符号器３１４は、ＳＲＳを含むスロットにおいて、ＡＣＫシンボルに対して３ポイントＤＦＴ拡散符号およびＲＳシンボルに対して２ポイント直交拡散符号（例えば、ハダマードまたはＤＦＴ）を適用し得る。第２のスロットについては、拡散符号器３１４は、ＡＣＫシンボルに対して４ポイント直交拡散符号およびＲＳシンボルに対して２ポイント直交拡散符号を適用し得る。名目上の構造は長ＣＰ構造については資源ブロックごとに８つのＡＣＫ可能としている一方、多重化チャネルは依然資源ブロックごとに８つのＡＣＫを提供し、したがって、ＡＣＫ多重化容量における変化はない。
【００４７】
次に、再び図４Ｃを考慮すると、ＡＣＫチャネルの第１のスロットは４つのＡＣＫシンボル、２つのＲＳシンボル、および前に存在したＲＳシンボルの１つと入れ替わったＳＲＳを含む。第２のスロットは、ＳＲＳを有さず、４つのＡＣＫシンボルおよび３つのＲＳシンボルを有する。一実施形態において、拡散符号器３１４は、ＳＲＳを含むスロット（例えば、第１の０．５ｍｓスロット）において、ＡＣＫシンボルに対して２ポイントおよび４ポイントＤＦＴ拡散符号のどちらも適用し得る。一実施形態において、拡散符号器３１４は、第２のスロットにおいてＡＣＫシンボルに対して４ポイント直交拡散符号を適用し、さらに第２のスロットにおいてＲＳシンボルに対して３ポイントＤＦＴ拡散符号を適用し得る。名目上の構造のように、多重構造は、資源ブロックごとに１２つのＡＣＫを可能としている。低ドップラー構成のためにＡＣＫ多重化容量は減少し得るが、高（例えば、ＳＦ＝２）ドップラー構成のためのＡＣＫ多重化容量は最適化し得る。言い換えると、名目上同じ多重化容量が、ＳＦ＝２の構成のために達成され得る。
【００４８】
一実施形態において、拡散符号器３１４がＡＣＫチャネルにおいてＡＣＫシンボルおよびＲＳシンボルのための直交拡散符号の長さおよびタイプを決定する、上述された態様は、ＣＱＩチャネルのようなＰＵＣＣＨ範囲における他のチャネルに適用される。したがって、符号拡散は、図５Ｂおよび５Ｃのそれぞれのサブフレーム５２０および５５０の各スロットのための時間領域直交拡散符号の長さおよびタイプを決定し得る。ここで、構造マルチプレクサ３１２は、ＣＱＩシンボル（例えば、サブフレーム５２０）またはＲＳシンボル（例えば、サブフレーム５５０）と入れ替える。これは、ここで記載される方法と実質的に同様の方法で達成される。ＣＱＩシンボルがＳＲＳによって入れ替わる第１の構造（例えば、サブフレーム５２０）において、ＣＱＩの有効な符号が増加することが認識されるべきである。ＲＳシンボルがＳＲＳによって入れ替わる第２の構造（例えば、サブフレーム５５０）において、有効な符号の比は一般に変わらず、チャネル推定損失は第１の構造よりわずかに高くなり得る。６つのＣＱＩが両方の構造における資源ブロックごとに送信され得ることも認識されるべきである。したがって、典型的にＣＱＩ多重化容量に対する変化はない。
【００４９】
図６および７を参照すると、ＳＲＳの多重化の達成に関する方法が示されている。説明の単純化の目的のために、この方法は一連の動作として示され、記載されるが、１つ以上の実施形態にしたがって、いくつかの動作が異なる順番でおよび／または本明細書に記載され、示される方法からの他の動作と同時に生じ得るように、この方法はこの動作の順番に限定されないことが理解され、および認識されるだろう。例えば、当業者は、代替的に、方法が、例えば状態図のように、一連の相互関係のある状態または事象として示され得ることを理解し、および認識するだろう。全ての図示された動作が、１つ以上の実施形態にしたがって方法を実装するように必要なわけではない。
【００５０】
図６を参照すると、無線通信環境におけるＳＲＳの多重化を容易にするための方法６００が示されている。６０２において、ＳＲＳシンボルが、サブフレームのスロットにおいて検出され得る。典型的に、サブフレームは、１．０ｍｓを示し、２つの０．５ｍｓで構成され得る。ＳＲＳは、可能性として第１または第２のスロットのどちらにも存在し得るが、どちらの場合においても、検出され得て、２つのスロットのうち１つにおけるいくつかの場所で、サブフレームに存在する。６０４において、サブフレームにおける少なくとも１つのスロットに対してチャネル構造が変更され得る。例えば、ＡＣＫシンボル、ＣＱＩシンボルまたはＲＳシンボルのいずれかが取り除かれ得る。そして、６０２においてＳＲＳが検出されるスロットにおけるその場所に、ＳＲＳが追加される。
【００５１】
６０６において、時間領域直交拡散符号のタイプおよび長さが、ＳＲＳの存在の関数として決定され得て、サブフレームのスロットに適用される。タイプは、例えばハダマードまたはＤＦＴであり得、長さは、例えば２ポイント、３ポイント、４ポイントなどであり得る。与えられるスロットに対する時間領域直交拡散符号のタイプおよび長さが、その所定のスロットからＳＲＳが存在するか不在であるかに基づいて決定され得る。６０８において、決定された拡散符号がサブフレームにおける少なくとも１つのスロットに適用され得る。
【００５２】
図７に目を向けると、無線通信環境におけるＳＲＳを多重化するためのチャネル構造を変更する種々のさらなる態様を容易にする、方法７００が示されている。７０２において、サブフレームにおける少なくとも１つのスロットに対するチャネル構造の変更はさらに、ＳＲＳを含むスロットにおけるいくらかのＡＣＫシンボルを減少することを含み得る。７０４において、サブフレームにおける少なくとも１つのスロットに対するチャネル構造の変更はさらに、ＳＲＳを含むスロットにおけるいくらかのＲＳシンボルを減少することを含み得る。７０６において、サブフレームにおける少なくとも１つのスロットに対するチャネル構造の変更はさらに、ＳＲＳを含むスロットにおけるいくらかのＣＱＩシンボルを減少することを含み得る。理解されるように、各場合において、関連するスロットにおいて減少されたシンボルは、ＳＲＳのための場所を提供することが可能である。
【００５３】
図８は、無線通信環境におけるＳＲＳチャネルの多重化を容易にするアクセス端末８００の一例である。アクセス端末８００は、例えば受信アンテナ（図示せず）から信号を受信し、そこで受信された信号に対して典型的な動作を実行し（例えば、フィルタし、増幅し、ダウンコンバートし）、調製された信号をデジタル化してサンプルを得る受信機８０２を含む。受信機８０２は、例えば、ＭＭＳＥ受信機であり、受信されたシンボルを復調し、それらをチャネル推定のためのプロセッサ８０６に提供し得る復調装置８０４を含む。プロセッサ８０６は、受信機８０２によって受信された情報を分析するおよび／または送信機８１６による送信のための情報を生成する専用のプロセッサ、アクセス端末８００の１つ以上の構成要素を制御するプロセッサ、および／または受信機８０２によって受信される情報を分析し、送信機８１６による送信のための情報を生成もする、およびアクセス端末８００の１つ以上の構成要素を制御もするプロセッサであり得る。
【００５４】
アクセス端末８００はさらに、プロセッサ８０６に動作可能なように連結され、送信され、受信されるデータ、および本明細書で種々の動作および機能などの実行に関するあらゆる他の適当な情報を格納し得る、メモリ８０８を含み得る。メモリ８０８はさらに、レートマッチングに基づいた循環バッファに関連したプロトコルおよび／またはアルゴリズムを格納し得る。
【００５５】
本明細書で記載されるデータ記憶装置は揮発メモリまたは不揮発メモリのどちらでもあり得、あるいは揮発および不揮発メモリの両方を含み得ることが、認識されるだろう。一例として、限定ではないが、不揮発メモリは、ＲＯＭ（read only memory）、ＰＲＯＭ（programmable ROM）、ＥＰＲＯＭ（electrically programmable ROM）、ＰＲＯＭ（electrically erasable PROM）、またはフラッシュメモリを含み得る。揮発性メモリは、ＲＡＭ（random access memory）を含み得る。ＲＡＭは、外部キャッシュメモリとして動作する。一例として、限定ではないが、ＲＡＭは、ＳＲＡＭ（synchronous RAM）、ＤＲＡＭ（dynamic RAM）、ＳＤＲＡＭ（synchronous DRAM）、ＤＤＲ ＳＤＲＡＭ（double data rate SDRAM）、ＥＳＤＲＡＭ（enhanced SDRAM）、ＳＬＤＲＡＭ（Synchlink DRAM）、およびＤＲＲＡＭ（direct Rambus RAM）のような多くの形態で利用可能である。対象システムおよび方法のメモリ８０８は、限定はしないが、これらおよびあらゆる他の適当なメモリのタイプを含むように意図されている。
【００５６】
実質的に図３の受信機３０６と同様であり得る受信機８０２はさらに、拡散符号器８１０および／または構造マルチプレクサ８１２に動作可能なように連結されている。拡散符号器８１０および／または構造マルチプレクサ８１２はそれぞれ、実質的に図３の拡散符号器３１４および図３の構造マルチプレクサ３１２と同様であり得る。さらに、示さないが、アクセス端末８００が実質的に図３のＳＲＳ検出器３１０と同様のＳＲＳ検出器を含み得ることが、考慮される。したがって、アクセス端末８００は、スロットにおいてＳＲＳシンボルを検出し（例えば、ＳＲＳ検出器を利用することによって）、サブフレームにおける少なくとも１つのスロットに対するチャネル構造を変更するために構造多重化装置８１２を用い、ＳＲＳの存在の関数としてサブフレームのスロットに適用され、さらにサブフレームにおける少なくとも１つのスロットのチャネルを決定される拡散符号に適用する時間領域直交拡散符号の長さおよびタイプを決定するために拡散符号器８１０にアクセスし得る。
【００５７】
図９は、無線通信環境におけるＳＲＳの多重化を容易にするシステム９００の一例である。システム９００は、複数の受信アンテナ９０６を介して１つ以上のアクセス端末９０４からの信号を受信する受信機９１０、および送信アンテナ９０８を介して１つ以上のアクセス端末９０４へ送信する送信機９２２を有する、基地局９０２（例えばアクセスポイント）を含む。受信機９１０は、受信アンテナ９０６から情報を受信し、受信される情報を復調する復調器９１２と動作可能なように連結されている。復調されたシンボルは、プロセッサ９１４によって分析される。プロセッサ９１４は、図８に関して上述されたプロセッサと同様であり得る。そして、プロセッサ９１４は、アクセス端末９０４（または異なる基地局（図示せず））へ送信され、アクセス端末９０４（または異なる基地局（図示せず））から受信されるデータ、および／またはここで種々の動作および機能などの実行に関するあらゆる他の適当な情報を格納するメモリ９１６に連結される。プロセッサ９１４はさらに、ＳＲＳが存在するおよび／または不在であることの関数としてサブフレームのスロットに適用される時間領域直交拡散符号の長さおよびタイプを決定し得る、拡散符号器９１８に連結される。
【００５８】
拡散符号器９１８は、サブフレームにおける少なくとも１つのスロットに対するチャネル構造を変更する構造マルチプレクサ９２０に適切に作用するように連結されている。さらに、示されないが、基地局９０２が実質的に図３のＳＲＳ検出器３１０と同様のＳＲＳ検出器を含み得ることが、考慮される。拡散符号器９１８および構造マルチプレクサ９２０は、変調装置９２２に送信されるデータを提供する。例えば、ＰＵＣＣＨチャネル（ＡＣＫまたはＣＱＩチャネル）に含まれる送信されるデータは、ＳＲＳとともに多重化される。変調装置９２２は、アンテナ９０８を介した送信機９２６によるアクセス端末９０４への送信のためにフレームを多重化し得る。プロセッサ９１４から分離して示されているが、インターリーバ９１８、インターレーサ９２０および／または変調装置９２２がプロセッサ９１４またはいくつかのプロセッサ（図示せず）の一部であってもよいことが、認識される。
【００５９】
図１０は、無線通信システム１０００の一例を示している。無線通信システム１０００は、簡潔の目的のために、１つの基地局１０１０および１つのアクセス端末１０５０を示す。しかしながら、システム１０００は、複数の基地局および／または複数のアクセス端末を含み得ることが、認識されるだろう。そこで、追加される基地局および／またはアクセス端末は、以下に記載される基地局１０１０およびアクセス端末１０５０の例と同様である、または異なり得る。さらに、基地局１０１０およびアクセス端末１０５０がこれらの間での無線通信を容易にするために、ここで記載されるシステム（図１，３，８−９，および１１）および／または方法（図６および７）を用い得ることが、認識されるだろう。
【００６０】
基地局１０１０において、多くのデータストリームのためのトラヒックデータは、データ源１０１２から送信（ＴＸ）データプロセッサ１０１４に提供される。一例にしたがって、各データストリームは、それぞれのアンテナを介して送信され得る。ＴＸデータプロセッサ１０１４は、符号化データを提供するために、当該データストリームのために選択された所定の符号化方式に基づいてトラヒックデータストリームをフォーマットし、符号化し、インターリーブする。
【００６１】
各データストリームに対する符号化データは、直交周波数分割多重化（ＯＦＤＭ）技術を用いるパイロットデータとともに多重化される。そのうえさらに、または代わりに、パイロットシンボルは、周波数分割多重化（ＦＤＭ：Frequency Division Multiplexing）、時分割多重化（ＴＤＭ：Time Division Multiplexing）、または符号分割多重化（ＣＤＭ：Ｃode Division Multiplexing）され得る。パイロットデータは、典型的に、既知の方法で処理される既知のデータパターンであり、チャネル応答を推定するためにアクセス端末１０５０において用いられ得る。各データストリームのための多重化されたパイロットおよび符号化データは、変調シンボルを提供するためにそのデータストリームに対して選択された所定の変調方式（例えば、二位相偏移変調（ＢＰＳＫ：binary phase-shift keying）、直交位相偏移変調（ＱＰＳＫ：quadrature phase-shift keying）、Ｍ−位相偏移変調（Ｍ−ＰＳＫ：M-phase-shift keying）、Ｍ−直交振幅変調（Ｍ−ＱＡＭ：M-quadrature amplitude modulation））に基づいて変調され得る。各データストリームのデータレート、符号化および変調は、プロセッサ１０３０によって実行されるまたは提供される命令によって決定され得る。
【００６２】
データストリームのための変調シンボルは、ＴＸ ＭＩＭＯプロセッサ１０２０に提供され得る。ＴＸ ＭＩＭＯプロセッサ１０２０はさらに、変調シンボル（例えば、ＯＦＤＭ）を処理し得る。ＴＸ ＭＩＭＯプロセッサ１０２０は、その後、ＮＴ個の変調シンボルストリームをＮＴ個の送信機（ＴＭＴＲ）１０２２ａ〜１０２２ｔに提供する。種々の実施形態において、ＴＸ ＭＩＭＯプロセッサ１０２０は、データストリームのシンボルおよびシンボルが送信されているアンテナにビームフォーミングウェイトを適用する。
【００６３】
各送信機１０２２は、１つ以上のアナログ信号を提供するために、それぞれのシンボルストリームを受信するおよび処理する。各送信機１０２２はさらに、ＭＩＭＯチャネルを介した送信に適当な変調信号を提供するために、アナログ信号を調整する（例えば、増幅し、フィルタし、アップコンバートする）。さらに、送信機１０２２ａ〜１０２２ｔからのＮＴ個の変調信号は、それぞれＮＴ個のアンテナ１０２４ａ〜１０２４ｔから送信される。
【００６４】
アクセス端末１０５０において、送信された変調信号はＮＲ個のアンテナ１０５２ａ〜１０５２ｒによって受信され、各アンテナ１０５２から受信された信号はそれぞれの受信機（ＲＣＶＲ）１０５４ａ〜１０５４ｒに提供される。各受信機１０５４は、それぞれの信号を調整し（例えば、フィルタし、増幅し、およびダウンコンバートする）、サンプルを提供するために調整された信号をデジタル化し、さらに対応する“受信”シンボルストリームを提供するためにサンプルを処理する。
【００６５】
ＲＸデータプロセッサ１０６０は、ＮＴ個の“検出”シンボルストリームを提供するために所定の受信機処理技術に基づいたＮＲ個の受信機１０５４からのＮＲ受信シンボルストリームを受信するおよび処理する。ＲＸデータプロセッサ１０６０は、データストリームのためのトラヒックデータを回復するために、各検出シンボルストリームを復調し、デインターリーブし、および復号し得る。ＲＸデータプロセッサ１０６０による処理は、基地局１０１０におけるＴＸ ＭＩＭＯプロセッサ１０２０およびＴＸデータプロセッサ１０１４によって実行される処理と相補的である。
【００６６】
プロセッサ１０７０は、上述したように利用するべき利用可能な技術がどれかを周期的に決定し得る。さらに、プロセッサ１０７０は、行列インデックス部分およびランク値部分を含むリバースリンクメッセージを策定する。
【００６７】
リバースリンクメッセージは、通信リンクおよび／または受信データストリームに関する情報の種々のタイプを含み得る。リバースリンクメッセージは、ＴＸデータプロセッサ１０３８によって処理され得る。ＴＸデータプロセッサ１０３８はまた、変調装置１０８０によって変調され、送信機１０５４ａ〜１０５４ｒによって調整され、さらに基地局１０１０に戻るよう送信されたデータ源１０３６からのいくつかのデータストリームに対するトラヒックデータを受信する。
【００６８】
基地局１０１０において、アクセス端末１０５０からの変調信号は、アクセス端末１０５０によって送信されたリバースリンクメッセージを抽出するために、アンテナ１０２４によって受信され、受信機１０２２によって調整され、復調装置１０４０によって復調され、ＲＸデータプロセッサ１０４２によって処理される。さらに、プロセッサ１０３０は、ビームフォーミングウェイトの決定のためにどの事前符号化行列を使用するか決定するために抽出されたメッセージを処理し得る。
【００６９】
プロセッサ１０３０および１０７０は、基地局１０１０およびアクセス端末１０５０における動作をそれぞれ指揮し得る（例えば、調整し、調和し、管理するなど）。それぞれのプロセッサ１０３０および１０７０は、プログラムコードおよびデータを格納するメモリ１０３２および１０７２に連結され得る。プロセッサ１０３０および１０７０はまた、上りリンクおよび下りリンクのための周波数およびインパルス応答の推定を得るためにそれぞれ、計算を実行し得る。
【００７０】
一態様において、論理チャネルは、制御チャネルおよびトラヒックチャネルに分類される。論理制御チャネルは、ブロードキャスト制御チャネル（ＢＣＣＨ：Broadcast Control Channel）を含み得る。ブロードキャスト制御チャネルは、ブロードキャストシステム制御情報のためのＤＬチャネルである。さらに、論理制御チャネルは、ページング制御チャネル（ＰＣＣＨ：Paging Control Channel）を含み得る。ページング制御チャネルは、ページング情報を送信するＤＬチャネルである。さらに、論理制御チャネルは、マルチキャスト制御チャネル（ＭＣＣＨ：Multicast Control Channel）を含み得る。マルチキャスト制御チャネルは、マルチメディアブロードキャストおよびマルチキャストサービス（ＭＢＭＳ：Multimedia Broadcast and Multicast Service）スケジューリングおよび１つ以上のＭＴＣＨに対する制御情報を送信するために用いられるポイント−マルチポイントＤＬチャネルである。一般的に、ＲＲＣ（Radio Resource Control）接続を設定した後、このチャネルは、ＭＢＭＳを受信するＵＥによってのみ用いられる（例えば、初期のＭＣＣＨ＋ＭＳＣＨ）。そのうえさらに、論理制御チャネルは、個別制御チャネル（ＤＣＣＨ：Dedicated Control Channel）を含み得る。専用制御チャネルは、個別制御情報を送信し、ＲＲＣ接続を有するＵＥによって用いられ得るポイント−ポイント双方向チャネルである。一態様によれば、論理トラヒックチャネルは、個別トラヒックチャネル（ＤＴＣＨ：Dedicated Traffic Channel）を含み得る。個別トラヒックチャネルは、ユーザ情報の送信のための１つのＵＥに専用のポイント−ポイント双方向チャネルである。さらに、論理トラヒックチャネルは、送信トラヒックデータのためのポイント−マルチポイントＤＬのマルチキャストトラヒックチャネル（ＭＴＣＨ: Multicast Traffic Channel）を含み得る。
【００７１】
一態様によれば、トランスポートチャネルは、ＤＬおよびＵＬに分類される。ＤＬトランスポートチャネルは、ブロードキャストチャネル（ＢＣＨ：Broadcast Channel）、下りリンク共有データチャネル（ＤＬ−ＳＤＣＨ：Downlink Shared Data Channel）およびページングチャネル（ＰＣＨ：Paging Channel）を含む。ＰＣＨは、セル全体にわたってブロードキャストされるおよび他の制御／トラヒックチャネルのために用いられる物理レイヤー（ＰＨＹ：Physical layer）資源にマップされることによって、ＵＥの省電力をサポートし得るＤＲＸ（Discontinuous Reception）サイクルが、ＵＥとのネットワークによって示され得る。ＵＬトランスポートチャネルは、ランダムアクセスチャネル（ＲＡＣＨ：Random Access Channel）、要求チャネル（ＲＥＱＣＨ：Request Channel）、上りリンク共有データチャネル（ＵＬ−ＳＤＣＨ：Uplink Shared Data Channel）および複数のＰＨＹチャネルを含み得る。
【００７２】
ＰＨＹチャネルは、１組のＤＬチャネルおよびＵＬチャネルを含み得る。例えば、ＤＬ ＰＨＹチャネルは、共通パイロットチャネル（CPICH：Common Pilot Channel）、同期チャンネル（ＳＣＨ：Synchronization Channel）、共通制御チャネル（ＣＣＣＨ：Common Control Channel）、共有ＤＬコントロールチャネル（ＳＤＣＣＨ：Shared DL Control Channel）、マルチキャスト制御チャネル（ＭＣＣＣＨ：Multicast Control Channel）、共有ＵＬ割り当てチャネル（ＳＵＡＣＨ：Shared UL Assignment Channel）、確認応答チャネル（ＡＣＫＣＨ：Acknowledgement Channel）、ＤＬ物理共有データチャネル（ＤＬ−ＰＳＤＣＨ：DL Physical Shared Data Channel）、ＵＬ電力制御チャネル（ＵＰＣＣＨ：UL Power Control Channel）、ページングインディケータチャネル（ＰＩＣＨ：Paging Indicator Channel）、および／または負荷インディケータチャネル（ＬＩＣＨ：Load Indicator Channel）を含み得る。さらなる一例によれば、ＵＬ ＰＨＹチャネルは、物理ランダムアクセスチャネル（ＰＲＡＣＨ：Physical Random Access Channel）、チャネル品質インディケータチャネル（ＣＱＩＣＨ：Channel Quality Indicator Channel）、確認応答チャネル（ＡＣＫＣＨ：Acknowledgement Channel）、アンテナサブセットインディケータチャネル（ＡＳＩＣＨ：Antenna Subset Indicator Channel）、共有要求チャネル（ＳＲＥＱＣＨ：Shared Request Channel） 、ＵＬ物理共有データチャネル（ＵＬ−ＰＳＤＣＨ：UL Physical Shared Data Channel）、および／またはブロードバンドパイロットチャネル（ＢＰＩＣＨ：Broadband Pilot Channel）を含み得る。
【００７３】
本明細書で記載される実施形態は、ハードウェア、ソフトウェア、ファームウェア、ミドルウェア、マイクロコードまたはそれらの任意の組み合わせで実装され得ることが、理解されるだろう。ハードウェアの実装に対しては、処理ユニットは、１つ以上の特定用途向けＩＣ（ＡＳＩＣ）、デジタル信号プロセッサ（ＤＳＰｓ：digital signal processors）、デジタル信号プロセッサ装置（ＤＳＰＤｓ：digital signal processing devices）、プログラマブルロジック装置（ＰＬＤｓ：programmable logic devices）、フィールドプログラマブルゲートアレイ（ＦＰＧＡｓ：field programmable gate arrays）、プロセッサ、コントローラ、マイクロコントローラ、マイクロプロセッサ、本明細書で記載される機能を実行するように設定された他の電子ユニット、またはそれらの組み合わせを含み得る。
【００７４】
実施形態がソフトウェア、ファームウェア、ミドルウェアまたはマイクロコード、プログラムコードまたはコードセグメントにおいて実装される場合、それらは記憶構成要素のような機械読み取り可能な媒体に格納され得る。コードセグメントは、プロシージャ、ファンクション、サブプログラム、プログラム、ルーチン、サブルーチン、モジュール、ソフトウェアパッケージ、分類、または指示、データ構造あるいはプログラムステートメントの任意の組み合わせを示し得る。コードセグメントは、情報、データ、アーギュメント、パラメータ、またはメモリコンテンツを伝えるおよび／または受信することによって、別のコードセグメントまたはハードウェア回路に連結され得る。情報、アーギュメント、パラメータ、データなどは、メモリ共有、メッセージパッシング、トックンパッシング、ネットワーク送信などを含む任意の適当な手段を用いて伝えられ、転送され、送信され得る。
【００７５】
ソフトウェアの実装に対しては、本明細書で記載される技術は、本明細書で記載される機能を実行するモジュール（例えば、プロシージャ、ファンクションなど）によって実装され得る。ソフトウェアコードは、メモリユニットに格納され、プロセッサによって実行され得る。メモリユニットは、プロセッサの内部またはプロセッサの外部において実装され得る。この場合、それは、当業者に既知であるように、種々の手段を介して通信可能なようにプロセッサに連結されている。
【００７６】
図１１に関して、無線通信環境におけるＳＲＳチャネルの多重化が可能なシステム１１００が示されている。例えば、システム１１００は、基地局内の少なくとも一部に存在している。別の例によれば、システム１１００は、アクセス端末内の少なくとも一部に存在している。システム１１００は、機能ブロックを含んでいるとして、認識されるだろう。機能ブロックは、プロセッサ、ソフトウェア、またはそれらの組み合わせ（例えば、ファームウェア）によって実装される機能を示す機能ブロックであり得る。システム１１００は、連結によって動作し得る電気的構成要素のロジカルグルーピング１１０２を含む。
【００７７】
例えば、ロジカルグルーピング１１０２は、資源ブロックに含まれるサブフレームのスロットにおけるＳＲＳシンボルを見つけるための電気的構成要素１１０４を含み得る。さらに、ロジカルグルーピング１１０２は、ＳＲＳの存在に基づいたサブフレームのスロットに適用される時間ドメイン拡散符号の長さおよびタイプを計算するための電気的構成要素１１０６を含み得る。さらに、論理グルーピング１１０２は、サブフレームにおける１つ以上のスロットのチャネル構造を変更するための電気的構成要素１１０８を含み得る。論理グルーピング１１０２はまた、スロットおよび／または資源ブロックにおける１つ以上のチャネルに対して計算される拡散符号を実装するための電気的構成要素１１１０を含み得る。例えば、資源ブロックのスロットにおいて検出されたＳＲＳは、例えば、ＣＱＩまたはＡＣＫチャネルのようなＰＵＣＣＨ範囲における他のデータチャネルによって多重化され得る。そのスロットに対するチャネル構造は、その後、例えば、ＳＲＳを有するスロットにおいていくつかのシンボルを減少することによって、変更され得る。したがって、ＡＣＫ、ＣＱＩ、またはＲＳシンボルの数は、減少され、ＳＲＳのための場所を提供し得る。残りの５つ（長ＣＰにおける）または６つ（短ＣＰにおける）のシンボルは、時間領域拡散符号によって構成され得る。時間領域拡散符号のタイプおよび長さは、スロットにおいてＳＲＳが存在するか不在であるかの関数によって決定され得る。さらに、システム１１００は、電気的構成要素１１０４，１１０６，１１０８，および１１１０に関して機能を実行するための命令を保存するメモリ１１１２を含み得る。メモリ１１１２の外部に示されているが、１つ以上の電気的構成要素１１０４，１１０６，１１０８，および１１１０がメモリ１１１２の内部に存在し得ることが、理解されるだろう。
【００７８】
上述されたものは、1つ以上の実施形態の例を含む。上述された実施形態を記載することを目的とするために、構成要素または方法の全ての考えられる組み合わせについて記載することは不可能であるが、通常の当業者の１人が、種々の実施形態において多くのさらなる組み合わせおよび置換が可能であることを認識し得る。したがって、記載された実施形態は、添付された請求項の概念および範囲内にある修正、変更および変化をすべて含むように意図される。さらに、請求項において移行語として用いられる場合に“具備する（comprising）”と解されるような用語“具備する（comprising）”と同様に、用語“含む（include）”が詳細な説明または請求項中で使われる限りにおいて、その用語は包括的であることが意図されている。
【図１】
2015019399.tif 000003
【図２Ａ】
2015019399.tif 000004
【図２Ｂ】
2015019399.tif 000005
【図３】
2015019399.tif 000006
【図４Ａ】
2015019399.tif 000007
【図４Ｂ】
2015019399.tif 000008
【図４Ｃ】
2015019399.tif 000009
【図５Ａ】
2015019399.tif 000010
【図５Ｂ】
2015019399.tif 000011
【図５Ｃ】
2015019399.tif 000012
【図６】
2015019399.tif 000013
【図７】
2015019399.tif 000014
【図８】
2015019399.tif 000015
【図９】
2015019399.tif 000016
【図１０】
2015019399.tif 000017
【図１１】
2015019399.tif 000018
【手続補正書】
【提出日】平成26年9月26日(2014.9.26)
【手続補正１】
【補正対象書類名】明細書
【補正対象項目名】００７８
【補正方法】変更
【補正の内容】
【００７８】
上述されたものは、1つ以上の実施形態の例を含む。上述された実施形態を記載することを目的とするために、構成要素または方法の全ての考えられる組み合わせについて記載することは不可能であるが、通常の当業者の１人が、種々の実施形態において多くのさらなる組み合わせおよび置換が可能であることを認識し得る。したがって、記載された実施形態は、添付された請求項の概念および範囲内にある修正、変更および変化をすべて含むように意図される。さらに、請求項において移行語として用いられる場合に“具備する（comprising）”と解されるような用語“具備する（comprising）”と同様に、用語“含む（include）”が詳細な説明または請求項中で使われる限りにおいて、その用語は包括的であることが意図されている。
（付記１）
無線通信環境においてサウンディングリソースシグナル（ＳＲＳ）の多重化を容易にするための方法であって、
サブフレームのスロットにおいてＳＲＳシンボルの存在を検出することと、
サブフレームの少なくとも１つのスロットに対するチャネル構造を変更することと、
ＳＲＳの存在の関数として前記サブフレームの前記スロットにおいてチャネルに適用される時間領域直交拡散符号の長さおよびタイプを決定することと、
前記サブフレームにおいて少なくとも１つのスロットにおいて前記チャネルに前記決定された拡散符号を適用することと、
を含む方法。
（付記２）
サブフレームの少なくとも１つのスロットに対するチャネル構造を変更することは、前記ＳＲＳを含む前記スロットにおいて確認応答（ＡＣＫ：acknowledgement）シンボルの数を減少させることをさらに含む付記１の方法。
（付記３）
前記サブフレームにおいて少なくとも１つのスロットにおいて前記チャネルに前記決定された拡散符号を適用することは、前記ＳＲＳを含む前記スロットにおいてＡＣＫシンボルおよび基準信号（ＲＳ：reference signal）シンボルの両方に対して３ポイント離散フーリエ変換（ＤＦＴ：discrete Fourier transform）拡散符号を適用することをさらに含む付記２の方法。
（付記４）
前記サブフレームにおいて少なくとも１つのスロットにおいて前記チャネルに前記決定された拡散符号を適用することは、第２のスロットにおいて４ポイント直交拡散符号をＡＣＫシンボルに対して適用することと、および３ポイントＤＦＴ拡散符号をＲＳシンボルに対して適用することと、をさらに含み、前記直交拡散符号はハダマードまたはＤＦＴである付記２の方法。
（付記５）
ＳＲＳの存在の関数として前記サブフレームの前記スロットにおいてチャネルに適用される時間領域直交拡散符号の長さおよびタイプを決定することは、前記サブフレームに対して長サイクリックプリフィックス（ＣＰ）を用いることをさらに含む付記１の方法。
（付記６）
前記サブフレームにおいて少なくとも１つのスロットにおいて前記チャネルに前記決定された拡散符号を適用することは、前記ＳＲＳを含む前記スロットにおいて３ポイントＤＦＴ拡散符号をＡＣＫシンボルに対して適用することと、２ポイント直交拡散符号をＲＳシンボルに対して適用することと、を含む付記５の方法。
（付記７）
前記サブフレームにおいて少なくとも１つのスロットにおいて前記チャネルに前記決定された拡散符号を適用することは、第２のスロットにおいて４ポイント直交拡散符号をＡＣＫシンボルに対して適用することと、２ポイント直交拡散符号をＲＳシンボルに対して適用することと、を含む付記５の方法。
（付記８）
サブフレームの少なくとも１つのスロットに対するチャネル構造を変更することは、前記ＳＲＳを含む前記スロットにおいてＲＳシンボルの数を減少させることをさらに含む付記１の方法。
（付記９）
前記サブフレームにおいて少なくとも１つのスロットにおいて前記チャネルに前記決定された拡散符号を適用することは、前記前記ＳＲＳを含む前記スロットにおいて２ポイントまたは４ポイント直交拡散符号をＡＣＫシンボルに対して適用することと、２ポイントＤＦＴ拡散符号をＲＳシンボルに対して適用することと、さらに含む付記８の方法。
（付記１０）
前記サブフレームにおいて少なくとも１つのスロットにおいて前記チャネルに前記決定された拡散符号を適用することは、第２のスロットにおいて４ポイント直交拡散符号をＡＣＫシンボルに対して適用することと、３ポイントＤＦＴ拡散符号をＲＳシンボルに対して適用することと、さらに含む付記８の方法。
（付記１１）
サブフレームの少なくとも１つのスロットに対するチャネル構造を変更することは、前記ＳＲＳを含む前記スロットにおいてチャネル品質情報（ＣＱＩ：channel quality indication）シンボルの数を減少させることをさらに含む付記１の方法。
（付記１２）
ＣＱＩチャネルに対して、ＲＳシンボルの数を減少させることによって、有効なコード比を増加させることをさらに含む付記１の方法。
（付記１３）
サブフレームのスロットにおいてＳＲＳシンボルの存在を見つけることと、前記サブフレームにおいて１つ以上のスロットに対するチャネル構造を変更することと、前記スロットにおいてＳＲＳの存在に基づいて前記サブフレームのスロットにおいてチャネルを適用するために時間領域直交拡散符号のタイプおよび長さを計算することと、前記チャネルにおいて前記サブフレームの１つ以上のスロットにおいて前記計算された拡散符号を実行することと、に関連する命令を保存するメモリと、
前記メモリと連結され、前記メモリにおいて保存された前記命令を実行するように構成されたプロセッサと、
を含む無線通信装置。
（付記１４）
前記メモリは、前記ＳＲＳを含む前記スロットにおいてＡＣＫシンボルの数を減少させることに関連する命令をさらに保存する付記１３の無線通信装置。
（付記１５）
前記メモリは、前記ＳＲＳを含む前記スロットにおいてＡＣＫシンボルおよびＲＳシンボルの両方に対して３ポイントＤＦＴ拡散符号を実行することに関連する命令をさらに保存する付記１４の無線通信装置。
（付記１６）
前記メモリは、第２のスロットにおいて４ポイント直交拡散符号をＡＣＫシンボルに対して実行することと、および３ポイントＤＦＴ拡散符号をＲＳシンボルに対して実行することと、に関連する命令をさらに保存する付記１４の無線通信装置。
（付記１７）
前記メモリは、前記サブフレームに対して長ＣＰを利用することに関連する命令をさらに保存する付記１３の無線通信装置。
（付記１８）
前記メモリは、前記ＳＲＳを含む前記スロットにおいて３ポイントＤＦＴ拡散符号をＡＣＫシンボルに対して実行することと、２ポイント直交拡散符号をＲＳシンボルに対して実行することと、に関連する命令をさらに保存する付記１７の無線通信装置。
（付記１９）
前記メモリは、第２のスロットにおいて４ポイント直交拡散符号をＡＣＫシンボルに対して実行することと、２ポイント直交拡散符号をＲＳシンボルに対して実行することと、に関連する命令をさらに保存する付記１７の無線通信装置。
（付記２０）
前記メモリは、前記ＳＲＳを含む前記スロットにおいてＲＳシンボルの数を減少させることに関連する命令をさらに保存する付記１３の無線通信装置。
（付記２１）
前記メモリは、前記ＳＲＳを含む前記スロットにおいて２ポイントまたは４ポイント直交拡散符号をＡＣＫシンボルに対して実行することと、２ポイントＤＦＴ拡散符号をＲＳシンボルに対して実行することと、に関連する命令をさらに保存する付記２０の無線通信装置。
（付記２２）
前記メモリは、第２のスロットにおいて４ポイント直交拡散符号をＡＣＫシンボルに対して実行することと、３ポイントＤＦＴ拡散符号をＲＳシンボルに対して実行することと、に関連する命令をさらに保存する付記２０の無線通信装置。
（付記２３）
前記メモリは、前記ＳＲＳを含む前記スロットにおいてＣＱＩシンボルの数を減少させることに関連する命令をさらに保存する付記１３の無線通信装置。
（付記２４）
前記メモリは、ＣＱＩチャネルに対して、ＲＳシンボルの数を減少させることによって、有効なコード比を増加させることに関連する命令をさらに保存する付記２３の無線通信装置。
（付記２５）
ＳＲＳの多重化を容易にする無線通信装置であって、
サブフレームのスロットにおいてＳＲＳシンボルを検出する手段と、
前記サブフレームの少なくとも１つのスロットに対するチャネル構造を調整する手段と、
前記サブフレームの１つ以上のスロットにおいてチャネルに適用される時間領域直交拡散符号のタイプおよび長さを決定するための前記ＳＲＳの存在を利用する手段と、
前記サブフレームにおいて少なくとも１つのスロットに対する前記チャネルに前記決定された拡散符号を適用する手段と、
を含む無線通信装置。
（付記２６）
前記ＳＲＳを含む前記スロットにおいてＡＣＫシンボルの数を減少させる手段をさらに含む付記２５の無線通信装置。
（付記２７）
前記ＳＲＳを含む前記スロットにおいてＲＳシンボルの数を減少させる手段をさらに含む付記２５の無線通信装置。
（付記２８）
前記ＳＲＳを含む前記スロットにおいてＣＱＩシンボルの数を減少させる手段をさらに含む付記２５の無線通信装置。
（付記２９）
ＣＱＩチャネルに対して有効なコード比を増加させる手段をさらに含む付記２８の無線通信装置。
（付記３０）
サブフレームのスロットにおいてＳＲＳシンボルを検出するコードと、
前記サブフレームにおいてスロットに対するチャネル構造を変更するコードと、
１つ以上のスロットにおいてＳＲＳの存在の関数として前記サブフレームの前記１つ以上のスロットに対するチャネルに適用される時間領域直交拡散符号のタイプおよび長さの両方を決定するコードと、
前記サブフレームにおいて少なくとも１つのスロットにおいて前記チャネルに前記決定された拡散符号を利用するコードと、
を含むコンピュータ読み取り可能な記憶媒体を含むコンピュータプログラム製品。
（付記３１）
前記コンピュータ読み取り可能な記憶媒体は、前記ＳＲＳを含む前記スロットにおいてＡＣＫシンボルの数を減少させるコードをさらに含む付記３０のコンピュータプログラム製品。
（付記３２）
前記コンピュータ読み取り可能な記憶媒体は、前記ＳＲＳを含む前記スロットにおいてＡＣＫシンボルおよびＲＳシンボルの両方に対して３ポイントＤＦＴ拡散符号を利用するコードをさらに含む付記３１のコンピュータプログラム製品。
（付記３３）
前記コンピュータ読み取り可能な記憶媒体は、第２のスロットにおいて４ポイント直交拡散符号をＡＣＫシンボルに対して利用し、および３ポイントＤＦＴ拡散符号をＲＳシンボルに対して利用するコードをさらに含む付記３１のコンピュータプログラム製品。
（付記３４）
前記コンピュータ読み取り可能な記憶媒体は、前記サブフレームに対して長ＣＰを用いるコードをさらに含む付記３０のコンピュータプログラム製品。
（付記３５）
前記コンピュータ読み取り可能な記憶媒体は、前記ＳＲＳを含む前記スロットにおいて３ポイントＤＦＴ拡散符号をＡＣＫシンボルに対して利用し、２ポイント直交拡散符号をＲＳシンボルに対して利用するコードをさらに含む付記３４のコンピュータプログラム製品。
（付記３６）
前記コンピュータ読み取り可能な記憶媒体は、第２のスロットにおいて４ポイント直交拡散符号をＡＣＫシンボルに対して利用し、２ポイント直交拡散符号をＲＳシンボルに対して利用するコードをさらに含む付記３４のコンピュータプログラム製品。
（付記３７）
前記コンピュータ読み取り可能な記憶媒体は、前記ＳＲＳを含む前記スロットにおいてＲＳシンボルの数を減少させるコードをさらに含む付記３０のコンピュータプログラム製品。
（付記３８）
前記コンピュータ読み取り可能な記憶媒体は、前記ＳＲＳを含む前記スロットにおいて２ポイントまたは４ポイント直交拡散符号をＡＣＫシンボルに対して利用し、２ポイントＤＦＴ拡散符号をＲＳシンボルに対して利用するコードをさらに含む付記３７のコンピュータプログラム製品。
（付記３９）
前記コンピュータ読み取り可能な記憶媒体は、第２のスロットにおいて４ポイント直交拡散符号をＡＣＫシンボルに対して利用し、３ポイントＤＦＴ拡散符号をＲＳシンボルに対して利用するコードをさらに含む付記３７のコンピュータプログラム製品。
（付記４０）
前記コンピュータ読み取り可能な記憶媒体は、前記ＳＲＳを含む前記スロットにおいてＣＱＩシンボルの数を減少させるコードをさらに含む付記３０のコンピュータプログラム製品。
（付記４１）
前記コンピュータ読み取り可能な記憶媒体は、ＣＱＩチャネルに対して、ＲＳシンボルの数を減少させることによって、有効なコード比を増加させるコードをさらに含む付記４０のコンピュータプログラム製品。
（付記４２）
無線通信システムにおいて、
サブフレームのスロットにおいてＳＲＳシンボルを検出し、
サブフレームにおいて少なくとも１つのスロットのチャネル構造を変更し、
チャネルに対する前記サブフレームの１つ以上のスロットに適用されるために時間領域直交拡散符号のタイプおよび長さを計算し、前記拡散符号は前記サブフレームの前記１つ以上のスロットにおいてＳＲＳの存在の関数として計算され、
前記サブフレームにおいて前記少なくとも１つのスロットに対する前記チャネルに前記拡散符号を適用する、
ように構成されたプロセッサを含む装置。
（付記４３）
無線通信環境におけるＡＣＫチャネルにおいてＳＲＳの多重化を容易にする方法であって、
サブフレームのスロットにおいてＳＲＳシンボルの存在を検出することと、
サブフレームの少なくとも１つのスロットに対するＡＣＫチャネル構造を変更することと、
ＳＲＳの存在の関数として前記サブフレームの前記スロットにおいてＡＣＫチャネルに適用される時間領域直交拡散符号の長さおよびタイプを決定することと、
前記サブフレームにおいて少なくとも１つのスロットにおいて前記ＡＣＫチャネルに前記決定された拡散符号を適用することと、
を含む方法。
（付記４４）
サブフレームの少なくとも１つのスロットに対するＡＣＫチャネル構造を変更することとは、前記ＳＲＳを含むスロットの前記ＡＣＫチャネルにおいてＡＣＫチャネルまたはＲＳチャネルの少なくとも１つの数を減少させることをさらに含む方法。
（付記４５）
サブフレームのスロットにおいてＳＲＳシンボルの存在を見つけることと、前記サブフレームにおいて１つ以上のスロット対してＡＣＫチャネル構造を変更することと、前記スロットにおいてＳＲＳの存在に基づいて前記サブフレームのスロットにおいてＡＣＫチャネルを適用するために時間領域直交拡散符号のタイプおよび長さを計算することと、前記ＡＣＫチャネルにおいて前記サブフレームの１つ以上のスロットにおいて前記計算された拡散符号を実行することと、に関連する命令を保存するメモリと、
前記メモリと連結され、前記メモリにおいて保存された前記命令を実行するように構成されたプロセッサと、
を含む無線通信装置。
（付記４６）
ＡＣＫチャネルにおいてＳＲＳの多重化を容易にする無線通信装置であって、
サブフレームのスロットにおいてＳＲＳシンボルを検出する手段と、
前記サブフレームの少なくとも１つのスロットに対するＡＣＫチャネル構造を調整する手段と、
前記サブフレームの１つ以上のスロットにおいてＡＣＫチャネルに適用される時間領域直交拡散符号のタイプおよび長さを決定するための前記ＳＲＳの存在を利用する手段と、
前記サブフレームにおいて少なくとも１つのスロットに対する前記ＡＣＫチャネルに前記決定された拡散符号を適用する手段と、
を含む無線通信装置。
（付記４７）
サブフレームのスロットにおいてＳＲＳシンボルを検出するコードと、
前記サブフレームにおいてスロットに対するＡＣＫチャネル構造を変更するコードと、
１つ以上のスロットにおいてＳＲＳの存在の関数として前記サブフレームの前記１つ以上のスロットに対するＡＣＫチャネルに適用される時間領域直交拡散符号のタイプおよび長さの両方を決定するコードと、
前記サブフレームにおいて少なくとも１つのスロットにおいて前記ＡＣＫチャネルに前記決定された拡散符号を利用するコードと、
を含むコンピュータ読み取り可能な記憶媒体を含むコンピュータプログラム製品。
（付記４８）
無線通信システムにおいて、
サブフレームのスロットにおいてＳＲＳシンボルを検出し、
サブフレームにおいて少なくとも１つのスロットのＡＣＫチャネル構造を変更し、
ＡＣＫチャネルに対する前記サブフレームの１つ以上のスロットに適用されるために時間領域直交拡散符号のタイプおよび長さを計算し、前記拡散符号は前記サブフレームの前記１つ以上のスロットにおいてＳＲＳの存在の関数として計算され、
前記サブフレームにおいて前記少なくとも１つのスロットに対する前記ＡＣＫチャネルに前記拡散符号を適用する、
ように指定されたプロセッサを含む装置。
【手続補正２】
【補正対象書類名】特許請求の範囲
【補正対象項目名】全文
【補正方法】変更
【補正の内容】
【特許請求の範囲】
【請求項１】
無線通信環境においてサウンディングリソースシグナル（ＳＲＳ）の多重化を容易にするための方法であって、
サブフレームのスロットにおいてＳＲＳシンボルの存在を検出することと、
サブフレームの少なくとも１つのスロットに対するチャネル構造を変更することと、
ＳＲＳの存在の関数として前記サブフレームの前記スロットにおいてチャネルに適用される時間領域直交拡散符号の長さおよびタイプを決定することと、
前記サブフレームにおいて少なくとも１つのスロットにおいて前記チャネルに前記決定された拡散符号を適用することと、
を含む方法。
【外国語明細書】
2015019399000001.pdf